(57)【要約】【課題】天候種別を取得し、１または複数の信号灯器における各信号灯色の点灯及び消灯のタイミングを決定する場合に、前記取得した天候種別を前記決定要素の１つとして用いる、信号制御システム、信号制御装置、及び交通信号制御機を提供することを目的とする。【解決手段】信号制御装置１は、天候センサー４Ａと天候情報サーバ５のうち少なくとも１つから発信される天候情報を受信し、受信した天候情報から、交通信号制御機２Ａの設置された地点における天候種別を取得する。そして、前記取得した天候種別を用いて、信号灯器６Ａの各信号灯色の灯色切替タイミングを決定し、当該タイミングを通知する歩進信号を交通信号制御機２Ａに送信する。前記歩進信号を受信した交通信号制御機２Ａは、当該歩進信号に従って信号灯器６Ａの各信号灯色の点灯及び消灯を行う。【選択図】図１
2008027024.tif 000002
【特許請求の範囲】
【請求項１】
１または複数の信号灯器における各信号灯色の点灯及び消灯のタイミングを決定する灯色切替タイミング決定手段を有する信号制御システムにおいて、
天候種別を取得する天候種別取得手段を有し、
前記灯色切替タイミング決定手段は、前記取得した天候種別を前記灯色切替タイミングの決定要素の１つとして用いること、
を特徴とする信号制御システム。
【請求項２】
前記灯色切替タイミング決定手段は、前記取得した天候種別を用いて、クリアランス時間、右折感応制御用単位延長青時間、歩行者青下限時間、歩行者青点滅時間、オフセット、及びスプリットのうち少なくとも１つを決定し、
前記決定したクリアランス時間、右折感応制御用単位延長青時間、歩行者青下限時間、歩行者青点滅時間、オフセット、及びスプリットのうち少なくとも１つを用いて前記灯色切替タイミングを決定すること、
を特徴とする請求項１に記載の信号制御システム。
【請求項３】
信号灯器における各信号灯色の点灯及び消灯のタイミングを決定する灯色切替タイミング決定手段を有し、前記決定したタイミングを通知する歩進信号を送信する信号制御装置と、前記歩進信号を受信し、前記歩進信号に応じて前記信号灯器に各信号灯色の点灯及び消灯を行わせる交通信号制御機と、を構成要素に含む信号制御システムにおいて、
前記信号制御装置は、天候種別を取得する天候種別取得手段を有し、
前記灯色切替タイミング決定手段は、前記取得した天候種別を前記タイミングの決定要素の１つとして用いること、
を特徴とする信号制御システム。
【請求項４】
信号灯器における各信号灯色の点灯及び消灯のタイミングを決定する灯色切替タイミング決定手段を有する交通信号制御機と、前記タイミングの決定に用いる信号制御指令情報を作成する信号制御指令作成手段を有し、前記作成した信号制御指令情報を前記交通信号制御機に対して送信する信号制御装置と、を構成要素に含む信号制御システムにおいて、
前記信号制御装置は、天候種別を取得する天候種別取得手段を有し、
前記信号制御指令作成手段は、前記取得した天候種別を前記信号制御指令情報の作成根拠の１つとして用いること、
を特徴とする信号制御システム。
【請求項５】
信号灯器における各信号灯色の点灯及び消灯のタイミングを決定する灯色切替タイミング決定手段を有する交通信号制御機を少なくとも２つ構成要素に含む信号制御システムにおいて、
前記交通信号制御機のうち少なくとも１つは、前記タイミングの決定に用いる分散制御方式用情報を作成する分散制御方式用情報作成手段と、他の１または複数の交通信号制御機との間で前記分散制御方式用情報を送信もしくは受信する交通信号制御機間通信手段と、天候種別を取得する天候種別取得手段を有し、
前記分散制御方式用情報作成手段は、前記取得した天候種別を前記分散制御方式用情報の作成根拠の１つに用いること、
を特徴とする信号制御システム。
【請求項６】
前記信号制御システムは信号制御装置を構成要件にさらに含み、
前記信号制御装置は、天候種別を取得する天候種別取得手段と、
前記取得した天候種別を作成根拠の１つとして用いて信号制御指令情報を作成する信号制御指令作成手段と、
前記作成した信号制御指令情報を、交通信号制御機に対して送信する中央装置通信手段を有し、
前記灯色切替タイミング決定手段は、前記分散制御方式用情報と前記信号制御指令情報の双方に基づいて前記タイミングを決定すること、
を特徴とする請求項５に記載の信号制御システム。
【請求項７】
請求項３乃至６のいずれかに記載の信号制御システムに用いられることを特徴とする交通信号制御機。
【請求項８】
請求項３、４、または６に記載の信号制御システムに用いられることを特徴とする信号制御装置。
【発明の詳細な説明】
【技術分野】
【０００１】
本発明は、１または複数の信号灯器における各信号灯色の点灯及び消灯タイミングを決定する、信号制御システム、信号制御装置、及び交通信号制御機に関する。
【背景技術】
【０００２】
信号灯器の各信号灯色の点灯及び消灯のタイミングを決定するアルゴリズムとして、ある時刻が来ると制御を切り替える定時制御アルゴリズムや、信号の上流に設置された幾つかの車両感知器からの感知器情報等（車両の有無、交通量、占有時間、渋滞長等）に基づいて制御するアルゴリズム等が開示されている（非特許文献１）。
【０００３】
また、前記制御方法に関して、クリアランス時間の定義と算出方法が開示されている（非特許文献１）。
クリアランス時間は、各信号灯色の点灯及び消灯タイミングの決定に用いられる。
【０００４】
クリアランス時間とは、通行権を与えた交通の流れを安全かつ円滑に停止させるために必要な時間のことであり、通常、黄時間長（以下、Ｙという。）と全赤時間長（以下、ＡＲという。）によって構成される。
そして、黄信号及び全赤信号の設定秒数の算出方法、及びこれらの秒数が停止線への車両の接近速度に依存すること、が知られている（非特許文献１参照）。
【０００５】
これまで、安全性を確保しうるようなクリアランス時間を確保するために、上記接近速度を予め時間帯毎あるいは日種毎のパタンとして設定し、当該条件に合致する接近速度に基づいて、クリアランス時間を算出する方法等が行われてきた。
【０００６】
また、信号灯器の制御方法に関して、交通感応制御として、右折感応制御が開示されている（非特許文献１）。
【０００７】
右折感応制御とは、右折専用現示（青矢印）を有する場合において、右折専用車線に車両感知器を設けて右折車両のギャップ（車間時間）を計測し、ギャップの有無に応じて右折専用現示の時間を決定する方法である。
右折感応制御においては、通常、一旦全ての信号灯色の灯色切替タイミングを決定した後、右折専用現示（青矢印）の消灯タイミングについては、前記ギャップの有無に応じて変更し、当該タイミングの変更に応じて、他の信号灯色の灯色切替タイミングを変更するといった方法が用いられる。
【０００８】
右折感応制御においては、最小青時間と単位延長青時間を設定する必要があり、さらに、系統制御を考慮して最大延長限度を設定する。
最小青時間、単位延長青時間、及び最大延長限度は、右折感応制御を行う交差点における、各信号灯色の点灯及び消灯タイミングの決定に用いられる。
【０００９】
最小青時間とは、右折専用現示（青矢印）を表示する時間の最小値のことであり、最大延長限度は、その最大値のことである。
また、単位延長青時間とは、車両感知器が車両の通過を検知した場合に、表示中の右折専用現示（青矢印）表示を延長する単位時間のことである。前記延長する単位時間内に車両の通過を検知しない場合、原則として、右折専用現示（青矢印）を消灯する（打ち切る）。
このうち、前記単位延長青時間は、予め時間帯毎あるいは日種毎のパタンとして設定し、当該条件に合致する値を採用する方法等が行われてきた。
【００１０】
また、信号灯器の制御方法に関して、歩行者用灯器（歩行者に対する通行権の有無を表示する信号灯器）における歩行者青信号（以下、ＰＧという。）と歩行者青点滅時間（以下、ＰＷという。）が開示されている（非特許文献２）。
歩行者青信号及び歩行者青点滅時間は、各信号灯色の灯色切替タイミングの決定に用いられる。
【００１１】
ＰＧは、横断する道路の幅員Ｌを横断歩行者の歩行速度ＶＰ１で除算して算出される値以上として設定される。ここで、ＰＧに与える最小保証値（＝Ｌ／ＶＰ１）を歩行者青下限時間（以下、ＰＬという。）と呼ぶ。
横断歩行者の歩行速度は１ｍ／ｓを目安としており、例えば１０ｍの幅員の道路におけるＰＬは１０秒といった方法で算出していた（非特許文献２）。
【００１２】
ＰＷは、横断する道路の幅員Ｌを青点滅時の横断歩行者の歩行速度ＶＰ２で除算して算出される値に所定の係数ｋを掛けた値（＝ｋ・Ｌ／ＶＰ２）として設定していた（非特許文献２）。
【００１３】
また、都市の街路網では、信号交差点の間隔が短いため、これらの信号機群を互いに関連付けて制御する系統制御が行われている。
オフセットとは、前記系統制御において、各信号機のサイクル開始時間に持たせる差のことであり、幹線道路において車群が円滑に通過できるようにすることを目的としている。
オフセットは、各信号灯色の灯色切替タイミングの決定に用いられ、通常、基準となる時刻と前記基準時刻に対するサイクル開始時間の差によって表現される。
【００１４】
オフセットは、ＴＲＡＮＳＹＴ（商品名）等のシミュレーションツールを用いた演算によって決定できる。
その際、各リンクのオフセットは、リンク長、系統速度、及びサイクル長から求められることが知られている（非特許文献１）。
【００１５】
ここで系統速度とは、オフセット算出対象となっている信号機群を通過する車群の走行速度のことである。
従来まで、オフセットを決定するための系統速度は、日種や時間帯毎のパタンとして設定し、当該条件に合致する値を採用する方法等が行われてきた。
【００１６】
また、交差点の各流入路に対してどのような時間比率で交通権を与えるかは、通常、交差点への流入交通量に応じて決定される。ここで、前記交通権のことを現示、前記時間比率のことをスプリットといい、スプリットは、信号灯器の表示サイクル１回分の時間における各現示の青時間の比率に相当する。
スプリットは、各信号灯色の灯色切替タイミングの決定に用いられる。
通常、スプリットは、予め設定された日種や時間帯毎のパタンを採用するアルゴリズムや、負荷率比配分方式等のアルゴリズムによって決定される。
【００１７】
ここで、負荷率比配分方式とは、流入台数、待ち行列長、及び飽和交通流率から得られる負荷率を現示毎に求めて、負荷率の比に応じてスプリットを配分するアルゴリズムのことである（非特許文献１）。
【００１８】
なお、ここにいう信号灯器とは、例えば、交差点において、流入路毎に設置される信号灯の群のように、通常１台の交通信号制御機が制御する信号灯の集合体を指す。
【００１９】
なお、信号灯色の点灯のタイミングとは、当該信号灯色が点灯する時点を指し、消灯のタイミングとは当該信号灯色が消灯する時点を指す。
歩行者用灯器の青点滅信号については、点滅の開始時点を点灯タイミング、点滅の終了時点を消灯タイミングとする。同様に、車両用灯器の黄信号及び赤信号を点滅表示する場合にも、点滅の開始時点を点灯タイミング、点滅の終了時点を消灯タイミングとする。
【００２０】
また、信号制御システムを構築する方式は以下の４つに大別できる。
【００２１】
１つ目の方式は、歩進制御方式と呼ばれるものであり、原則として、交通管制センターに設置した信号制御装置が信号灯器の各信号灯色の灯色切替タイミングを決定して、道路上に設置した交通信号制御機に灯色切替タイミング信号（以下、歩進信号）を送出し、当該信号に応じて交通信号制御機が各信号灯色を点灯及び消灯する。
【００２２】
２つ目の方式は、テーブル制御方式と呼ばれるものであり、交通管制センターに設置した信号制御装置が、信号灯器の各信号灯色の灯色切替タイミング信号を直接送信するのではなく、例えばサイクル毎や所定の周期毎に、１または複数の信号灯色の灯色切替タイミングを決定しうるデータ（以下、信号制御指令情報）を交通信号制御機に対して送信し、当該交通信号制御機が当該信号制御指令情報を用いて当該サイクルにおける各信号灯色の灯色切替タイミングを決定する。
【００２３】
通常、テーブル制御方式における信号制御指令情報は、サイクル長、スプリット、オフセットといった信号制御用パラメータで構成され、１または複数の信号灯色の灯色切替タイミングを決定するために必要となるデータが含まれている。交通信号制御機は、当該データに基づいて、実際に前記信号灯色を点灯及び消灯するタイミングを決定する。
【００２４】
３つ目の方式は、分散制御方式と呼ばれるものであり、道路上に設置された交通信号制御機が、他の１または複数の交通信号制御機の信号灯器における各信号灯色の灯色切替タイミングを決定しうるデータ（以下、分散制御方式用情報）を当該他の交通信号制御機に対して送信し、当該他の交通信号制御機が当該分散制御方式用情報や当該他の交通信号制御機が独自に有する定数等を用いて各信号灯色の灯色切替タイミングを決定する。
【００２５】
通常、分散制御方式における当該分散制御方式用情報は、交通信号制御機に直接接続された車両感知器において計測される交通量やその予測値、交通信号制御機において決定された信号灯色の継続秒数もしくは信号灯色群（例えば、交差点のある方路に進行する車両に対する車両用灯器の青信号と黄信号を１つの群とする等）の継続秒数等で構成され、各信号灯色の灯色切替タイミングを決定するために必要となるデータが含まれている。各交通信号制御機は、当該データやその他交通信号制御機が独自に有する定数等に基づいて、実際に各信号灯色を点灯及び消灯するタイミングを決定する。
【００２６】
４つ目の方式は、単独制御方式と呼ばれるものであり、道路上に設置された交通信号制御機が自身の有する時間帯毎のテーブル等に応じて信号灯器の各信号灯色の灯色切替タイミングを決定する方式である。
信号制御装置と通信で接続されていない交通信号制御機や、信号制御装置から、単独制御方式で動作するように指示された交通信号制御機において用いられる方式である。
【００２７】
【非特許文献１】片倉  正彦ら、「交通信号の手引き」、社団法人交通工学研究会、平成６年７月、ｐ．４−６０
【非特許文献２】「交通信号運用レベルの向上に関する研究報告書」、社団法人日本自動車工業会交通対策委員会、昭和５９年３月、ｐ．２７−３１
【発明の開示】
【発明が解決しようとする課題】
【００２８】
例えば、定時制御アルゴリズムの場合、信号灯器の各信号灯色の灯色切替タイミングを時間帯に応じて切り替えて決定するが、同一の時間帯であっても、天候によって交通状況が異なる地点においては、流入交通流に適した青時間を割り当てられずに、流入交通流がないにも関わらず無駄な青を表示し続けることや、捌け残り車両が存在するにも関わらず青表示を打ち切るようなことが想定される。
【００２９】
具体的には、例えば、赤信号で交差点内に取り残された車両が、既に交差点外に出た状態であるにもかかわらず、赤信号を長い時間表示し続けることが想定される。
【００３０】
また、例えば、右折車両専用車線に後続車両が存在するにも関わらず、青矢印表示を打ち切ることや、逆に、後続車両が存在しないにも関わらず無駄な青矢印を表示し続けることが想定される。
【００３１】
また、例えば、全ての横断歩行者が横断歩道を横断し終えているにも関わらず、歩行者青信号や歩行者青点滅信号を表示し続けることが想定される。
【００３２】
また、例えば、系統制御が行われているエリアにおいて、車群が信号機群を通過し終える前に赤信号で停止させられることや、逆に、車群が既に通過し終えたにもかかわらず青が表示され続けることが想定される。
【００３３】
また、例えば、主道路と従道路に対して与える青信号の時間配分が適切でないために、渋滞が発生することが想定される。
【００３４】
そこで、天候を加味して、各信号灯色の点灯及び消灯のタイミングを決定することが可能な信号制御システム、信号制御装置、及び交通信号制御機を提供することを目的とする。
【課題を解決するための手段】
【００３５】
本発明の信号制御システムは、１または複数の信号灯器における各信号灯色の灯色切替タイミングを決定する灯色切替タイミング決定手段と、天候種別を取得する天候種別取得手段を有し、前記灯色切替タイミング決定手段は、前記取得した天候種別を前記灯色切替タイミングの決定要素の１つとして用いることを特徴とする（請求項１）。
【００３６】
この発明によれば、天候によって交通状況が異なる地点においては、天候種別を加味して、信号灯器における各信号灯色の灯色切替タイミングを決定できるため、例えば、流入交通流に適した青時間を割り当てて無駄な青信号を表示し続けることや、車両の捌け残りが発生しないように適切な青信号表示を継続すること等ができる。
【００３７】
また、本発明の信号制御システムにおける前記灯色切替タイミング決定手段は、前記取得した天候種別を用いてクリアランス時間、右折感応制御用単位延長青時間、歩行者青下限時間、歩行者青点滅時間、オフセット、及びスプリットのうち少なくとも１つを決定し、前記決定したクリアランス時間、右折感応制御用単位延長青時間、歩行者青下限時間、歩行者青点滅時間、オフセット、及びスプリットのうち少なくとも１つを用いて前記灯色切替タイミングを決定することを特徴とする（請求項２）。
【００３８】
この発明によれば、例えば、天候に応じた車両接近速度を基にクリアランス時間を決定することで、交通権が他の流入路に移動する際の安全性を確保しつつ、赤信号を表示している流入路から流入した全ての車両が、既に交差点を通過し終えているにも関わらず、赤信号が継続して表示されることを防止すること等ができる。
【００３９】
また、例えば、天候に応じた車両接近速度や車間距離を基に右折感応制御用単位延長青時間を決定することで、例えば、右折専用車線に車両が存在するにも関わらず青矢印表示を打ち切ることを防止することや、右折専用車線に車両が存在しない場合に早期に青矢印表示を打ち切ること等ができる。
【００４０】
また、例えば、天候に応じた歩行速度を基に歩行者青下限時間を決定することで、歩行者の安全を確保しつつ、横断歩道を横断する歩行者に対して割り当てる歩行者青時間が、必要以上に長くなることを防止すること等ができる。
【００４１】
また、例えば、天候に応じた歩行速度を基に歩行者青点滅時間を決定することで、歩行者の安全を確保しつつ、横断歩道を横断する歩行者に対して割り当てる歩行者青点滅時間が必要以上に長くなることを防止すること等ができる。
【００４２】
また、例えば、天候に応じた系統速度を基にオフセットを決定することで、車群が信号機群を通過し終える前に赤信号で停止させられることを防止すること等ができる。
【００４３】
また、例えば、天候に応じた負荷率を基にスプリットを決定することで、主道路と従道路に対して適切な青信号の時間配分を決定すること等ができる。
【００４４】
また、本発明の信号制御システムは、信号灯器における各信号灯色の点灯及び消灯のタイミングを決定する灯色切替タイミング決定手段を有し、当該タイミングを通知する歩進信号を送信する信号制御装置と、前記歩進信号を受信し、前記歩進信号に応じて前記信号灯器に各信号灯色の点灯及び消灯を行わせる交通信号制御機と、を構成要素に含み、前記信号制御装置は、天候種別を取得する天候種別取得手段を有し、前記灯色切替タイミング決定手段は、前記取得した天候種別を前記タイミングの決定要素の１つとして用いることを特徴とする（請求項３）。
【００４５】
この発明によれば、信号制御システムを構成する信号制御装置が、天候種別を用いて信号灯器における各信号灯色の点灯及び消灯のタイミングを決定し、当該タイミングを通知する歩進信号を送信するため、天候によって交通状況が異なる地点においては、当該歩進信号を受信した交通信号制御機が、流入交通流に適した青時間を割り当てて無駄な青信号を表示し続けることを防止することや、車両の捌け残りが発生しないように、前記交通信号制御機が適切な青信号表示を継続すること等ができる。
【００４６】
また、本発明の信号制御システムは、信号灯器における各信号灯色の点灯及び消灯のタイミングを決定する灯色切替タイミング決定手段を有する交通信号制御機と、前記タイミングの決定に用いる信号制御指令情報を作成する信号制御指令作成手段を有し、前記作成した信号制御指令情報を前記交通信号制御機に対して送信する信号制御装置と、を構成要素に含み、前記信号制御装置は、天候種別を取得する天候種別取得手段を有し、前記信号制御指令作成手段は、前記取得した天候種別を前記信号制御指令情報の作成根拠の１つとして用いることを特徴とする（請求項４）。
【００４７】
この発明によれば、信号制御システムを構成する信号制御装置が、天候種別を加味して前記信号制御指令情報を作成するため、天候によって交通状況が異なる地点においては、当該信号制御指令情報を受信した交通信号制御機が、流入交通流に適した青時間を割り当てて無駄な青信号を表示し続けることを防止することや、車両の捌け残りが発生しないように、前記交通信号制御機が適切な青信号表示を継続すること等ができる。
【００４８】
また、本発明の信号制御システムは、信号灯器における各信号灯色の点灯及び消灯のタイミングを決定する灯色切替タイミング決定手段を有する交通信号制御機を少なくとも２つ構成要素に含み、前記交通信号制御機のうち少なくとも１つは、前記タイミングの決定に用いる分散制御方式用情報を作成する分散制御方式用情報作成手段と、他の１または複数の交通信号制御機との間で前記分散制御方式用情報を送信もしくは受信する交通信号制御機間通信手段と、天候種別を取得する天候種別取得手段を有し、前記分散制御方式用情報作成手段は、前記取得した天候種別を前記分散制御方式用情報の作成根拠の１つに用いることを特徴とする（請求項５）。
【００４９】
また、本発明の信号制御システムは、信号制御装置を構成要件にさらに含み、前記信号制御装置は、天候種別を取得する天候種別取得手段と、前記取得した天候種別を作成根拠の１つとして用いて信号制御指令情報を作成する信号制御指令作成手段と、前記作成した信号制御指令情報を、交通信号制御機に対して送信する中央装置通信手段を有し、前記灯色切替タイミング決定手段は、前記分散制御方式用情報と前記信号制御指令情報の双方に基づいて前記タイミングを決定することを特徴とする（請求項６）。
【００５０】
これらの発明によれば、信号制御システムを構成する交通信号制御機もしくは信号制御装置が、天候種別を加味して前記分散制御方式用情報もしくは信号制御指令情報を作成するため、天候によって交通状況が異なる地点においては、当該分散制御方式用情報もしくは信号制御指令情報を受信した交通信号制御機が、流入交通流に適した青時間を割り当てて無駄な青信号を表示し続けることを防止することや、車両の捌け残りが発生しないように、前記交通信号制御機が適切な青信号表示を継続すること等ができる。
【００５１】
また、本発明の交通信号制御機は、前記いずれかに記載の信号制御システムに用いられることを特徴とする（請求項７）。
【００５２】
また、本発明の信号制御装置は、前記いずれかに記載の信号制御システムに用いられることを特徴とする（請求項８）。
【００５３】
これらの発明によれば、交通信号制御機もしくは信号制御装置が、天候種別を加味して信号灯器の各信号灯色の灯色切替タイミングを決定する信号制御システムに用いられることで、流入交通流に適した青時間を割り当てて無駄な青信号を表示し続けることを防止することや、車両の捌け残りが発生しないように、前記交通信号制御機が適切な青信号表示を継続すること等ができる。
【発明の効果】
【００５４】
以上のように本発明によれば、信号灯器の各信号灯色の灯色切替タイミングを決定する際に、天候種別を決定要素の１つとして用いることで、各信号灯色の点灯及び消灯のタイミングを、より適切なものとすることができる。
【発明を実施するための最良の形態】
【００５５】
（第１の実施形態）
まず、第１の実施形態では、信号制御システムの構築方法として歩進制御方式を採用した場合の例を示す。
以下、本発明の実施の形態を、添付図面を参照しながら詳細に説明する。
図１は、本発明に係る信号制御システムの概略を示す図である。
【００５６】
図１において、１は交通管制センターに設置される信号制御装置であり、通信回線を介して、道路上に設置された交通信号制御機２Ａ及び２Ｂを制御する機能を有する。
また、信号制御装置１は、車両感知器３Ａ及び３Ｂからの感知器情報を、交通信号制御機２Ａもしくは２Ｂ経由で通信回線を介して受信する機能を有する。さらに、天候センサー４Ａ及び４Ｂからの天候情報を、交通信号制御機２Ａもしくは２Ｂ経由で通信回線を介して受信する機能を有する。さらに、天候情報サーバ５からの天候情報を受信する機能を有する。
【００５７】
交通信号制御機２Ａは道路上に設置され、信号制御装置１から通信回線を介して送信される歩進信号を受信し、前記歩進信号に基づいて信号灯器６Ａを制御する機能を有する。また、車両感知器３Ａから感知器情報を受信する機能を有する。また、天候センサー４Ａから天候情報を受信する機能を有する。
交通信号制御機２Ｂについても同様である。
【００５８】
車両感知器３Ａは道路上に設置され、感知対象の車線を通過する車両の有無等の感知器情報を検知し、交通信号制御機２Ａに対して当該感知器情報を送信する機能を有する。
車両感知器３Ｂについても同様である。
【００５９】
天候センサー４Ａは道路上に設置され、当該設置地点における天候情報を検知し、交通信号制御機２Ａに送信する機能を有する。
天候センサー４Ｂについても同様である。
【００６０】
天候情報サーバ５は、ある特定の地点もしくは複数の地点における天候情報を信号制御装置１に送信する機能を有する。
なお、天候センサー４Ａまたは４Ｂと天候情報サーバ５は、一方のみが存在しても良いし、双方とも存在していても良い。
また、これらとは異なる装置等が天候情報を送信しても良く、信号制御装置１が天候種別を決定するための情報を手に入れられれば良い。
【００６１】
信号灯器６Ａは交通信号制御機２Ａに接続され、交通信号制御機２Ａによって各信号灯色が点灯及び消灯される。
信号灯器６Ｂについても同様である。
【００６２】
図１において、信号制御装置１に通信回線を介して接続される交通信号制御機は２台の場合を例示して説明するが、１台でも３台以上であっても良い。
【００６３】
以下、交通信号制御機２Ａに接続される信号灯器６Ａの灯色切替タイミング決定方法について説明する。
【００６４】
図１において、信号制御装置１は、天候センサー４Ａと天候情報サーバ５のうち少なくとも１つから発信される天候情報を受信する。ここで、天候情報は、例えば、気温、湿度、降水量、日照時間、風速、積雪等のように、天候種別を決定するために必要な情報をいう。
【００６５】
天候情報は、現在もしくは過去の天候情報であっても良いし、予測した未来の天候情報であっても良い。また、天候情報は、特定の地点の情報であっても良いし、複数の地点やエリアの情報であっても良い。
【００６６】
信号制御装置１は、受信した天候情報から、交通信号制御機２Ａの設置された地点における天候種別を取得する。
天候種別は、例えば、晴れ、曇り、降雨、小雨、大雨、降雪、小雪、大雪、濃霧等である。
なお、前記天候情報が天候種別そのものを含んでいても良い。
【００６７】
信号制御装置１は、取得した天候種別を用いて、信号灯器６Ａの各信号灯色の灯色切替タイミングを決定し、当該タイミングを通知する歩進信号を交通信号制御機２Ａに送信する。
前記歩進信号を受信した交通信号制御機２Ａは、当該歩進信号に従って信号灯器６Ａの各信号灯色の点灯及び消灯を行う。
【００６８】
天候センサー４Ａとしては、例えば、降雨センサーや降雪センサー等が挙げられ、天候に関する情報を検知できるものであれば良い。また、これらのセンサーを組み合わせて用いても良い。
【００６９】
天候情報サーバ５としては、例えば、気象庁の地域気象観測システム等の有する天候に関する情報を、インターネット等を通じて配信するサーバ等が挙げられ、天候に関する情報を配信するサーバであれば良い。
【００７０】
図２は、信号制御装置１及び交通信号制御機２Ａの全部または一部を構成する機能を示す機能ブロック図である。
図２に従って、信号制御装置１と交通信号制御機２Ａに関する動作を説明する。
【００７１】
図２において、信号制御装置１は、天候種別取得手段１０１、灯色切替タイミング決定手段１０２、中央装置通信手段１０３、及び天候情報サーバ通信手段１０４から構成される。
【００７２】
天候情報サーバ通信手段１０４は、天候情報サーバ５から天候情報を受信する機能を有する。
なお、天候情報サーバ通信手段１０４と天候情報サーバ５はあっても良いし、無くても良い。また、天候情報サーバ５から送信される天候情報は、天候種別であっても良い。
【００７３】
天候種別取得手段１０１は、天候センサー４Ａと天候情報サーバ５のうち少なくとも１つから発信された天候情報に基づいて、交通信号制御機２Ａの設置地点における天候種別を取得する機能を有する。
なお、天候種別取得手段１０１は、信号制御装置１に接続された全ての交通信号制御機２Ａ及び２Ｂの設置地点における天候種別を取得するが、例えば、その一部が天候種別取得不能となる場合もしくは時間帯があっても良い。
【００７４】
灯色切替タイミング決定手段１０２は、交通信号制御機２Ａの信号灯器６Ａにおける各信号灯色の灯色切替タイミングを決定する機能を有し、前記取得した天候種別を前記タイミングの決定要素の１つとする。
【００７５】
中央装置通信手段１０３は、交通信号制御機２Ａと各種データを送受信する機能を有する。ここにいう各種データとは、灯色切替タイミング決定手段１０２が決定したタイミングに応じて信号制御装置１が通信回線に送信する歩進信号、車両感知器３Ａから発信され交通信号制御機２Ａ経由で通信回線を介して送られる感知器情報、天候センサー４Ａから発信され交通信号制御機２Ａ経由で通信回線を介して送られる天候情報等を指す。
【００７６】
図２において、交通信号制御機２Ａは、感知器通信手段２０３Ａと天候センサー通信手段２０４Ａと端末装置通信手段２０５Ａと信号灯色切替手段２０６Ａから構成される。
【００７７】
感知器通信手段２０３Ａは、車両感知器３Ａから感知する対象地点における交通量等の感知器情報を受信する機能を有する。なお、車両感知器３Ａと感知器通信手段２０３Ａはあっても良いし、無くても良い。
【００７８】
天候センサー通信手段２０４Ａは、天候センサー４Ａから天候情報を受信する機能を有する。
なお、天候センサー通信手段２０４Ａと天候センサー４はあっても良いし、無くても良い。また、天候センサー４Ａから送信される天候情報は、天候種別であっても良い。
【００７９】
端末装置通信手段２０３Ａは、信号制御装置１と各種データを送受信する機能を有する。ここにいう各種データとは、信号制御装置１が通信回線に送信する歩進信号、車両感知器３Ａから受信した感知器情報、天候センサー４Ａから受信した天候情報等を指す。
【００８０】
なお、前記両感知器情報は、車両感知器３Ａから受信した感知する対象地点における車両の存在有無に関する情報そのものであっても良いし、前記車両の存在有無から算出した交通量等であっても良い。
【００８１】
信号灯色切替手段２０６Ａは、信号制御装置１から受信した歩進信号に応じて、信号灯器６Ａにおける信号灯色を切り替える機能を有する。
【００８２】
次に、図２における天候種別取得手段１０１と灯色切替タイミング決定手段１０２が図１における交通信号制御機２Ａの信号灯器における各信号灯色の灯色切替タイミングを決定する方法を説明する。
【００８３】
図２における天候種別取得手段１０１は、天候センサー４Ａと天候情報サーバ５のうち少なくとも１つから発信された天候情報を受信し、当該天候情報に基づいて交通信号制御機２Ａの設置された地点における天候種別を判断し、取得する。
【００８４】
天候センサー４Ａと天候情報サーバ５の双方から同じ地点の天候情報を受信した場合には、例えば、情報発信元に優先順位を設定しておき、優先順位の高い情報発信元の天候情報を採用して天候種別を取得する方法や、双方からの天候情報を基に天候種別をそれぞれ決定し、双方の天候種別が一致した場合にのみ当該天候種別を取得し、不一致の場合には天候が不明であると判断させる方法等が考えられる。
【００８５】
なお、天候センサー４Ａや天候情報サーバ５が天候情報に基づいて天候種別を求め、当該天候種別を信号制御装置１に対して発信しても良いし、天候センサー４Ａや天候情報サーバ５から天候情報を受信した他の装置（図示せず）が、当該天候情報から取得した天候種別を信号制御装置１に対して発信しても良い。
その場合、天候種別取得手段１０１は、天候センサー４Ａ等から受信した天候種別をそのまま採用して取得しても良い。
【００８６】
天候種別取得手段１０１が取得した天候種別は、メモリ等の記憶部に記録し、必要に応じて記憶部から取り出す。
【００８７】
灯色切替タイミング決定手段１０２は、前記取得した天候種別を決定要素の１つとして用いて、信号灯器６Ａの各信号灯色の灯色切替タイミングを決定する。
そして、中央装置通信手段１０３が当該決定されたタイミングを通知する歩進信号を、通信回線を介して交通信号制御機２Ａに送信する。
【００８８】
灯色切替タイミング決定手段１０２が決定した各信号灯色の灯色切替タイミングは、メモリ等の記憶部に記録し、必要に応じて記憶部から取り出す。
この場合、中央装置通信手段１０６は、前記記憶部に記録された各信号灯色の灯色切替タイミングを取り出して用いても良いし、灯色切替タイミング決定手段１０２から前記タイミングを直接通知されても良い。
【００８９】
前記信号灯器６Ａにおける各信号灯色の灯色切替タイミングの決定においては、クリアランス時間、右折感応制御用単位延長青時間、歩行者青下限時間、歩行者青点滅時間、オフセット、及びスプリットのうち少なくとも１つを、前記取得した天候種別を用いて決定した上で、前記決定したクリアランス時間、右折感応制御用単位延長青時間、歩行者青下限時間、歩行者青点滅時間、オフセット、及びスプリットのうち少なくとも１つを用いて灯色切替タイミングを決定することが望ましい。
【００９０】
例えば、灯色切替タイミング決定手段１０２が、天候種別を用いて前記クリアランス時間を決定する際の前記クリアランス時間の算出方法を図３のフローチャートに従って説明する。また、当該クリアランス時間を用いて前記灯色切替タイミングを決定する手順を図４のフローチャートに従って説明する。
【００９１】
まず、灯色切替タイミング決定手段１０２は、自己の搭載するカレンダから季節と日種を取得する（ステップＳ１１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
【００９２】
なお、カレンダを他の装置（図示せず）から受信した上で、当該受信したカレンダから季節と日種を取得しても良いし、他の装置（図示せず）がカレンダに基づいて取得した季節と日種を信号制御装置１に発信し、当該季節と日種を受信して取得しても良い。
【００９３】
次に、灯色切替タイミング決定手段１０２は、自己の搭載する時計から現在の時刻情報を取得する（ステップＳ１２）。そして、季節、日種、及び現在時刻を基に、停止線接近速度テーブル（図５）から該当する接近速度Ｖ１１を取得する（ステップＳ１３）。
【００９４】
この場合、停止線接近速度テーブル（図５）は、メモリ等の記憶部に記録しておき、必要に応じて記憶部を参照して使用すれば良い。
【００９５】
ここで、図５に示す停止線接近速度テーブルは、季節、日種、及び時間帯の各項目に対応する接近速度を格納したものであり、灯色切替タイミング決定手段１０２は、季節、日種、及び現在時刻を入力条件として接近速度を取得する。
【００９６】
なお、停止線接近速度テーブルの項目として、例示した全ての項目を使用する必要はなく、例えば、季節と日種と時間帯のうちから選択した１つもしくは２つのみを項目として停止線接近速度テーブルを構成しても良い。その場合は、停止線接近速度テーブルの項目として選択した項目のみを条件として接近速度を取得する。
【００９７】
さらに、天候種別取得手段１０１が、天候センサー４Ａと天候情報サーバ５のうち少なくとも１つから発信された天候情報を受信し、当該天候情報を基に天候種別を取得する（ステップＳ１４）。そして、灯色切替タイミング決定手段１０２は、前記取得した天候種別を基に、天候係数テーブル（図６）から該当する天候係数α１を取得する（ステップＳ１５）。
【００９８】
この場合、天候係数テーブル（図６）は、メモリ等の記憶部に記録しておき、必要に応じて記憶部を参照して使用すれば良い。
【００９９】
ここで、天候係数α１は、天候種別に応じて決定される、接近速度に対する重み付け係数である。図６に示す天候係数テーブルは、天候種別に対応する天候係数α１を格納したものであり、灯色切替タイミング決定手段１０２は、天候種別を入力条件として天候係数α１を取得する。
【０１００】
灯色切替タイミング決定手段１０２は、ステップＳ１３で取得した接近速度Ｖ１１と、ステップＳ１５で取得した天候係数α１を乗算することで、補正した接近速度Ｖ１２を取得する（ステップＳ１６）。
そして、以下の式１１及び式１２によって、クリアランス時間を構成する黄時間長Ｙと全赤時間長ＡＲを算出する（ステップ１７）。
【０１０１】
ここで、τは運転者の反応時間（黄信号開始時からブレーキが効き始めるまでの時間）を表し、ｄはブレーキが効き始めてから停止するまでの平均減速度を表す。τとｄは、通常地点毎に規定値として与えられるが、天候種別に応じて変更して使用しても良い。
また、Ｗは交差点の大きさを表す。Ｗも規定値として与えられる。
【０１０２】
【数１】
2008027024.tif 000003
【０１０３】
以上、ステップＳ１１からステップＳ１７までの手順によって、クリアランス時間を構成するＹとＡＲを算出することができる。
【０１０４】
次に、前記算出されたクリアランス時間を用いて、全ての信号灯色の灯色切替タイミングを決定する方法を図４のフローチャートに従って説明する。
【０１０５】
まず、灯色切替タイミング決定手段１０２は、自己の搭載するカレンダから季節と日種を取得する（ステップＳ１０１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
【０１０６】
なお、カレンダを他の装置（図示せず）から受信した上で、当該受信したカレンダから季節と日種を取得しても良いし、他の装置（図示せず）がカレンダに基づいて取得した季節と日種を信号制御装置１に発信し、当該季節と日種を受信して取得しても良い。
【０１０７】
次に、灯色切替タイミング決定手段１０２は、自己の搭載する時計から現在の時刻情報を取得する（ステップＳ１０２）。そして、季節、日種、及び現在時刻を基に、信号灯色表示時間テーブル（図７）から該当する各信号灯色（１ＰＧ等）の表示時間を取得する（ステップＳ１０３）。
【０１０８】
この場合、信号灯色表示時間テーブル（図７）は、メモリ等の記憶部に記録しておき、必要に応じて記憶部を参照して使用すれば良い。
【０１０９】
ここで、図７に示す信号灯色表示時間テーブルは、季節、日種、及び時間帯の各項目に対応する各信号灯色の表示時間を格納したものであり、灯色切替タイミング決定手段１０２は、季節、日種、及び現在時刻を入力条件として前記各信号灯色の表示時間を取得する。
【０１１０】
そして、灯色切替タイミング決定手段１０２は、前記Ｓ１１からＳ１７の手順に従ってクリアランス時間ＹとＡＲを算出し（ステップＳ１０４）、ステップＳ１０３で取得した前記各信号灯色の表示時間のうちＹとＡＲを、Ｓ１０４で算出した時間に置き換える（ステップＳ１０５）。
最後に、各信号灯色の表示時間から各信号灯色の灯色切替タイミングを決定する（ステップＳ１０６）。
【０１１１】
この場合において、例えば、ＹとＡＲの時間が当初ステップＳ１０３で決定されていた時間よりも短縮もしくは延長された場合には、当該短縮もしくは延長された時間を、他の信号灯色の時間に対して加算もしくは減算することで、信号の１表示サイクルの長さ（サイクル長）を一定に保つ、といった決定方法も考えられる。
【０１１２】
本発明によれば、例えば、春の平日の１２時における接近速度Ｖ１１（＝４０）は、天候が「晴れ」であれば、天候係数α１（＝１．０）によってＶ１２＝４０と補正でき、一方、天候が「濃霧」であれば、天候係数α１（＝０．４）によってＶ１２＝１２と補正できる。その結果、当該補正後の接近速度Ｖ１２を用いて、天候に応じた適切なクリアランス時間を算出することができる。
【０１１３】
従来であれば、例えば春の平日の１２時における接近速度Ｖ１１として与えた設定値を、天候に関係なく採用していたため、例えば、接近速度Ｖ１１＝１２と設定した場合には、天候が「濃霧」であれば適切であるが、天候が「晴れ」であれば、実際の接近速度よりも小さくなる。その結果、当該接近速度を用いて算出されるクリアランス時間は、天候が「晴れ」の場合には大きくなってしまい、黄信号や赤信号が必要以上に長く表示される。そのため、交差側の信号待ち時間が長くなり、渋滞を引き起こす場合があった。
【０１１４】
ただし、本発明によれば、天候種別に応じて接近速度を補正できるため、当該補正した接近速度に基づいて適切なクリアランス時間を算出できる。その結果、交差側の信号待ち時間を必要限度とし、渋滞の発生確率を低減することができる。
【０１１５】
なお、クリアランス時間の算出方法については本実施例に限らず、例えば、停止線接近速度テーブルの項目に天候種別を追加して、ステップＳ１６で算出される補正された接近速度Ｖ１２を停止線接近速度テーブルに予め記述しておき、季節や天候種別等の項目を条件として、当該テーブルから接近速度Ｖ１２を取得する方法でも良いし、ステップＳ１７で算出されるＹとＡＲを天候種別等の項目毎に予め設定したクリアランス時間テーブル（図示せず）を用意しておき、天候種別等の項目を条件として、前記テーブルからＹとＡＲを取得する方法でも良い。
【０１１６】
また、クリアランス時間を用いて各信号灯色の灯色切替タイミングを決定する方法についても、本実施例に限らず、従来まで交通管制システムにおいて用いられる負荷率比配分方式等に基づいて決定する方法等を用いることができる。
【０１１７】
また、例えば、灯色切替タイミング決定手段１０２が、天候種別を用いて前記右折感応制御用単位延長青時間を決定する際の前記右折感応制御用単位延長青時間の算出方法を図８のフローチャートに従って説明する。また、当該右折感応制御用単位延長青時間を用いて前記灯色切替タイミングを決定する手順を説明する。
【０１１８】
まず、灯色切替タイミング決定手段１０２は、自己の搭載するカレンダから季節と日種を取得する（ステップＳ２１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
【０１１９】
なお、カレンダを他の装置（図示せず）から受信した上で、当該受信したカレンダから季節と日種を取得しても良いし、他の装置（図示せず）がカレンダに基づいて取得した季節と日種を信号制御装置１に送信し、当該季節と日種を受信して取得しても良い。
【０１２０】
次に、灯色切替タイミング決定手段１０２は、自己の搭載する時計から現在の時刻情報を取得する（ステップＳ２２）。そして、季節、日種、及び現在時刻を基に、右折感応定数テーブル（図９）から該当する接近速度Ｖ２１と車間距離Ｄ２１を取得する（ステップＳ２３）。
【０１２１】
この場合、右折感応定数テーブル（図９）は、メモリ等の記憶部に記録しておき、必要に応じて記憶部を参照して使用すれば良い。
【０１２２】
ここで、図９に示す右折感応定数テーブルは、季節、日種、及び現在時刻の各項目に対応する接近速度と車間距離を格納したものであり、灯色切替タイミング決定手段１０２は、季節、日種、及び現在時刻を入力条件として接近速度と車間距離を取得する。
【０１２３】
なお、右折感応定数テーブルの項目として、例示した全ての項目を使用する必要はなく、例えば、季節と日種と現在時刻のうちから選択した１つもしくは２つのみを項目として右折感応定数テーブルを構成しても良い。その場合は、選択した項目のみを条件として接近速度と車間距離を取得する。
【０１２４】
さらに、天候種別取得手段１０１は、天候センサー４Ａと天候情報サーバ５のうち少なくとも１つから発信された天候情報を受信し、当該天候情報を基に天候種別を取得する（ステップＳ２４）。そして、灯色切替タイミング決定手段１０２は、前記取得した天候種別を基に、天候係数テーブル（図６）から該当する天候係数α２とβ２を取得する（ステップＳ２５）。
【０１２５】
この場合、天候係数テーブル（図６）は、メモリ等の記憶部に記録しておき、必要に応じて記憶部を参照して使用すれば良い。
【０１２６】
ここで、天候係数α２は天候種別に応じて決定される、接近速度に対する重み付け係数であり、天候係数β２は天候種別に応じて決定される、車間距離に対する重み付け係数である。図６に示す天候係数テーブルは、天候種別に対応する天候係数α２とβ２を格納したものであり、灯色切替タイミング決定手段１０２は、天候種別を入力条件として天候係数α２とβ２を取得する。
【０１２７】
灯色切替タイミング決定手段１０２は、ステップＳ２３で取得した接近速度Ｖ２１と、ステップＳ２５で取得した天候係数α２を乗算することで、補正した接近速度Ｖ２２を取得すると共に、ステップＳ２３で取得した車間距離Ｄ２１とステップＳ２５で取得したβ２を乗算することで、車間距離Ｄ２２を取得する（ステップＳ２６）。
【０１２８】
そして、以下の式２１によって、右折感応制御用単位延長青時間を算出する（ステップ２７）。
ここで、Ｃは単位延長青時間の調整値であり、通常地点毎に規定値として与えられるが、天候種別に応じて変更して使用しても良い。
【０１２９】
【数２】
2008027024.tif 000004
【０１３０】
以上、ステップＳ２１からステップＳ２７までの手順によって、右折感応制御用単位延長青時間を算出することができる。
【０１３１】
次に、前記右折感応制御用単位延長青時間を用いて各信号灯色の灯色切替タイミングを決定する方法を説明する。
【０１３２】
例えば、ステップＳ１０１からステップＳ１０３に示した方法等によって一旦全ての信号灯色の灯色切替タイミングを決定した後、右折専用現示（青矢印）の時間については、前記右折感応制御用単位延長青時間を用いて変更して決定する方法等が考えられる。
【０１３３】
その際、右折専用車線に設置した車両感知器３Ａからの感知器情報に基づいて、車両感知器３Ａで最後に車両の通過を感知してから、前記右折感応制御用単位延長青時間以内に後続車両の通過を感知したと判断できる場合には、当該後続車両の通過を感知してから前記右折感応制御用単位延長青時間の間、右折専用現示（青矢印）を表示し、一方、車両感知器３Ａで最後に車両の通過を感知してから、前記右折感応制御用単位延長青時間以内に後続車両の通過を感知しなかった場合には、前記右折感応制御用単位延長青時間の経過と同時に、右折専用現示（青矢印）を消灯する方法が考えられる。
【０１３４】
また、上記動作をする場合において、右折専用現示（青矢印）の表示時間が、予め設定された最小青時間以上、最大延長限度以下となるようにする方法であっても良い。
【０１３５】
また、前記最小青時間及び最大延長限度については、別途信号制御装置１から通知しても良い。
その際、右折専用現示（青矢印）の表示時間が、当初定時制御アルゴリズムによって決定されていた時間よりも短縮もしくは延長された場合には、当該短縮もしくは延長された時間を、他の信号灯色の時間に対して加算もしくは減算することで、信号の１表示サイクルの長さ（サイクル長）を一定に保つ、といった決定方法も考えられる。
【０１３６】
本発明によれば、例えば、春の平日の１２時における接近速度Ｖ２１（＝４０）と車間距離Ｄ２１（＝２０）は、天候が「晴れ」であれば、天候係数α２（＝１．０）とβ２（＝１．０）によって、Ｖ２２＝４０とＤ２２＝２０と補正でき、一方、天候が「濃霧」であれば、天候係数α２（＝０．４）とβ２（＝１．２）によって、Ｖ２２＝１６とＤ２２＝２４と補正できる。その結果、当該補正後の接近速度Ｖ２２と車間距離Ｄ２２を用いて、天候に応じた適切な右折感応制御用単位延長青時間を算出することができる。
【０１３７】
従来であれば、例えば春の平日の１２時における接近速度Ｖ２１と車間距離Ｄ２１として与えた設定値を、天候に関係なく採用していたため、例えば、接近速度Ｖ２１＝４０と車間距離Ｄ２１＝２０と設定した場合には、天候が「晴れ」であれば適切であるが、天候が「濃霧」であれば、接近速度は実際よりも大きく、車間距離は実際よりも小さくなる。その結果、当該接近速度と車間距離を用いて算出される右折感応制御用単位延長青時間は、天候が「濃霧」の場合には小さくなってしまい、その結果、後続車両が存在するにも関わらず青矢印表示を打ち切ってしまう場合があった。
【０１３８】
ただし、本発明によれば、天候種別に応じて接近速度と車間距離を補正できるため、当該補正した接近速度と車間距離に基づいて適切な右折感応制御用単位延長青時間を算出できる。その結果、後続車両が存在する場合には、青矢印表示を適切に延長することができる。
【０１３９】
また逆に、本発明によれば、接近速度が大きくて車間距離が小さい場合には、右折感応制御用単位延長青時間を短くできるため、右折専用車線の車両が全て通過し終えてから、青矢印表示を消灯するまでの時間を短縮することができる。
【０１４０】
なお、右折感応制御用単位延長青時間の算出方法については本実施例に限らず、例えば、右折感応定数テーブルの項目に天候種別を追加して、ステップＳ２６で算出される補正された接近速度Ｖ２２と車間距離Ｄ２２を右折感応定数テーブルに記述する方法でも良いし、ステップＳ２７で算出される単位延長青時間を季節、天候種別等の項目毎に予め設定したテーブル（図示せず）を用意しておき、季節、天候種別等の条件を基に、前記テーブルから単位延長青時間を取得する方法でも良い。
【０１４１】
また、右折感応制御用単位延長青時間を用いて各信号灯色の灯色切替タイミングを決定する方法についても、本実施例に限らず、従来まで交通管制システムにおいて用いられる負荷率比配分方式等に基づいて決定する方法等を用いることができる。
【０１４２】
また、例えば、灯色切替タイミング決定手段１０２が、天候種別を用いて前記歩行者青下限時間ＰＬ及び前記歩行者青点滅時間ＰＷを算出する方法を図１０及び図１１のフローチャートに従って説明する。また、当該歩行者青下限時間ＰＬ及び歩行者青点滅時間ＰＷを用いて前記灯色切替タイミングを決定する方法を説明する。
【０１４３】
まず、灯色切替タイミング決定手段１０２は、自己の搭載するカレンダから季節と日種を取得する（ステップＳ３１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
【０１４４】
なお、カレンダを他の装置（図示せず）から受信した上で、当該受信したカレンダから季節と日種を取得しても良いし、他の装置（図示せず）がカレンダに基づいて取得した季節と日種を信号制御装置１に送信し、当該季節と日種を受信して取得しても良い。
【０１４５】
次に、灯色切替タイミング決定手段１０２は、自己の搭載する時計から現在の時刻情報を取得する（ステップＳ３２）。そして、季節、日種、及び現在時刻を基に、歩行速度テーブル（図１２）から該当する歩行者青信号歩行速度ＶＰ１１と歩行者青点滅歩行速度ＶＰ２１を取得する（ステップＳ３３）。
【０１４６】
この場合、歩行速度テーブル（図１２）は、メモリ等の記憶部に記録しておき、必要に応じて記憶部を参照して使用すれば良い。
【０１４７】
ここで、図１２に示す歩行速度テーブルは、季節、日種、及び現在時刻の各項目に対応する歩行者青信号歩行速度と歩行者青点滅歩行速度を格納したものであり、灯色切替タイミング決定手段１０２は、季節、日種、及び現在時刻を入力条件として歩行者青信号歩行速度と歩行者青点滅歩行速度を取得する。
【０１４８】
なお、歩行速度テーブルの項目として、例示した全ての項目を使用する必要はなく、例えば、季節と日種と現在時刻のうちから選択した１つもしくは２つのみを項目として歩行速度テーブルを構成しても良い。その場合は、選択した項目のみを条件として歩行者青信号歩行速度と歩行者青点滅歩行速度を取得する。
【０１４９】
さらに、天候種別取得手段１０１は、天候センサー４Ａと天候情報サーバ５のうち少なくとも１つ以上から受信した天候情報を基に天候種別を取得する（ステップＳ３４）。そして、灯色切替タイミング決定手段１０２は、前記取得した天候種別を基に、天候係数テーブル（図６）から該当する天候係数α３とβ３を取得する（ステップＳ３５）。
【０１５０】
この場合、天候係数テーブル（図６）は、メモリ等の記憶部に記録しておき、必要に応じて記憶部を参照して使用すれば良い。
【０１５１】
ここで、天候係数α３は天候種別に応じて決定される、歩行者青信号歩行速度に対する重み付け係数であり、天候係数β３は天候種別に応じて決定される、歩行者青点滅歩行速度に対する重み付け係数である。図６に示す天候係数テーブルは、天候種別に対応する天候係数α３とβ３を格納したものであり、灯色切替タイミング決定手段１０２は、天候種別を入力条件として天候係数α３とβ３を取得する。
【０１５２】
灯色切替タイミング決定手段１０２は、ステップＳ３３で取得した歩行者青信号歩行速度ＶＰ１１と、ステップＳ３５で取得した天候係数α３を乗算することで、歩行者青信号歩行速度ＶＰ１２を取得すると共に、ステップＳ３３で取得した歩行者青点滅歩行速度ＶＰ２１とステップＳ３５で取得したβ３を乗算することで、歩行者青点滅歩行速度ＶＰ２２を取得する（ステップＳ３６）。
【０１５３】
そして、以下の式３１によって歩行者青下限時間ＰＬを、式３２によって歩行者青点滅時間ＰＷを算出する（ステップ３７）。
ここで、Ｌは横断歩道の長さであり、通常地点毎に規定値として与えられる。また、ｋは歩行者青点滅状態で横断途中の歩行者のうち、いずれの位置まで既に横断している歩行者の横断完了を保証するかを意味する係数であり、通常、１や１／２などの規定値として与えられるが、この係数についても、天候種別に応じて変更して使用しても良い。
【０１５４】
【数３】
2008027024.tif 000005
【０１５５】
以上、ステップＳ３１からステップＳ３７までの手順によって、歩行者青下限時間ＰＬ及び歩行者青点滅時間ＰＷを算出することができる。
【０１５６】
また、本歩行者青時間ＰＧや本歩行者青点滅時間ＰＷを用いて各信号灯色の灯色切替タイミングを決定する方法としては、例えばステップＳ１０１からステップＳ１０３に示した方法等によって一旦全ての信号灯色の灯色切替タイミングを決定した後、歩行者青時間ＰＧや歩行者青点滅時間ＰＷについては前記方法によって算出された時間に置き換えて決定する方法等が考えられる。
【０１５７】
その際、歩行者青時間ＰＧや歩行者青点滅時間ＰＷが、当初ステップＳ１０１からステップＳ１０３の手順で決定されていた時間よりも短縮もしくは延長された場合には、当該短縮もしくは延長された時間を、他の信号灯色の時間に対して加算もしくは減算することで、信号の１表示サイクルの長さ（サイクル長）を一定に保つ、といった決定方法も考えられる。
【０１５８】
本発明によれば、例えば、春の平日の１２時における歩行者青信号歩行速度ＶＰ１１（＝０．８）と歩行者青点滅歩行速度ＶＰ２１（＝１．０）は、天候が「晴れ」であれば、天候係数α３（＝１．０）とβ３（＝１．０）によって、ＶＰ１２＝０．８とＶＰ２２＝１．０と補正でき、一方、天候が「濃霧」であれば、天候係数α３（＝０．５）とβ３（＝０．５）によって、ＶＰ１２＝０．４とＶＰ２２＝０．５と補正できる。その結果、当該補正後の歩行者青信号歩行速度ＶＰ１２と歩行者青点滅歩行速度ＶＰ２２を用いて、天候に応じた適切な歩行者青下限時間ＰＬ及び歩行者青点滅時間ＰＷを算出することができる。
【０１５９】
従来であれば、例えば春の平日の１２時における歩行者青信号歩行速度ＶＰ１１と歩行者青点滅歩行速度ＶＰ２１として与えた設定値を、天候に関係なく採用していたため、例えば、歩行者青信号歩行速度ＶＰ１１＝０．４と歩行者青点滅歩行速度ＶＰ２１＝０．５と設定した場合には、天候が「濃霧」であれば適切であるが、天候が「晴れ」であれば、実際の歩行者青信号歩行速度と歩行者青点滅歩行速度よりも小さくなる。その結果、当該歩行者青信号歩行速度と歩行者青点滅歩行速度を用いて算出される歩行者青下限時間ＰＬ及び歩行者青点滅時間ＰＷは、天候が「晴れ」の場合には大きくなり、歩行者青信号と歩行者青点滅信号が必要以上に長く表示される。そのため、交差側の信号待ち時間が長くなり、渋滞を引き起こす場合があった。
【０１６０】
ただし、本発明によれば、天候種別に応じて歩行者青信号歩行速度と歩行者青点滅歩行速度を補正できるため、当該補正した歩行者青信号歩行速度と歩行者青点滅歩行速度に基づいて適切な歩行者青下限時間ＰＬ及び歩行者青点滅時間ＰＷを算出できる。その結果、交差する側の信号待ち時間を必要限度とし、渋滞の発生確率を低減することができる。
【０１６１】
なお、歩行者青下限時間ＰＬ及び歩行者青点滅時間ＰＷの算出方法については本実施例に限らず、例えば、歩行速度テーブルの項目に天候種別を追加して、ステップＳ３６で算出される補正された歩行者青信号歩行速度ＶＰ１２と歩行者青点滅歩行速度ＶＰ２２を歩行速度テーブルに記述する方法でも良いし、ステップＳ３７で算出される歩行者青下限時間ＰＬ及び歩行者青点滅時間ＰＷを季節、天候種別等の項目毎に予め設定したテーブル（図示せず）を用意しておき、季節、天候種別等の条件を基に、前記テーブルから歩行者青下限時間ＰＬ及び歩行者青点滅時間ＰＷを取得する方法でも良い。
【０１６２】
また、歩行者青下限時間ＰＬや歩行者青点滅時間ＰＷを用いて各信号灯色の灯色切替タイミングを決定する方法についても、本実施例に限らず、従来まで交通管制システムにおいて用いられる負荷率比配分方式等に基づいて決定する方法等を用いることができる。
また、本実施例では、歩行者青下限時間ＰＬと歩行者青点滅時間ＰＷの双方を算出しているが、一方のみを算出しても良い。
【０１６３】
また、例えば、灯色切替タイミング決定手段１０２が、天候種別を用いて前記オフセットを決定し、当該オフセットを用いて前記灯色切替タイミングを決定する場合、信号制御装置１における当該オフセットの算出方法を図１３のフローチャートに従って説明する。また、当該オフセットを用いて前記灯色切替タイミングを決定する方法を説明する。
【０１６４】
まず、灯色切替タイミング決定手段１０２は、自己の搭載するカレンダから季節と日種を取得する（ステップＳ４１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
【０１６５】
なお、カレンダを他の装置（図示せず）から受信した上で、当該受信したカレンダから季節と日種を取得しても良いし、他の装置（図示せず）がカレンダに基づいて取得した季節と日種を信号制御装置１に送信し、当該季節と日種を受信して取得しても良い。
【０１６６】
次に、灯色切替タイミング決定手段１０２は、自己の搭載する時計から現在の時刻情報を取得する（ステップＳ４２）。そして、季節、日種、及び現在時刻を基に、系統速度テーブル（図１４）から該当する系統速度Ｖ４１を取得する（ステップＳ４３）。
【０１６７】
この場合、系統速度テーブル（図１４）は、メモリ等の記憶部に記録しておき、必要に応じて記憶部を参照して使用すれば良い。
【０１６８】
ここで、図１４に示す系統速度テーブルは、季節、日種、及び時間帯の各項目に対応する系統速度を格納したものであり、灯色切替タイミング決定手段１０２は、季節、日種、及び現在時刻を入力条件として系統速度を取得する。
【０１６９】
なお、系統速度テーブルの項目として、例示した全ての項目を使用する必要はなく、例えば、季節と日種と時間帯のうちから選択した１つもしくは２つのみを項目として系統速度テーブルを構成しても良い。その場合は、系統速度テーブルの項目として選択した項目のみを条件として系統速度を取得する。
【０１７０】
さらに、天候種別取得手段１０１が、天候センサー４Ａと天候情報サーバ５のうち少なくとも１つ以上から受信した天候情報を基に天候種別を取得する（ステップＳ４４）。そして、灯色切替タイミング決定手段１０２は、前記取得した天候種別を基に、天候係数テーブル（図６）から該当する天候係数α４を取得する（ステップＳ４５）。
【０１７１】
この場合、天候係数テーブル（図６）は、メモリ等の記憶部に記録しておき、必要に応じて記憶部を参照して使用すれば良い。
【０１７２】
ここで、天候係数α４は、天候種別に応じて決定される、系統速度に対する重み付け係数である。図６に示す天候係数テーブルは、天候種別に対応する天候係数α４を格納したものであり、灯色切替タイミング決定手段１０２は、天候種別を入力条件として天候係数α４を取得する。
【０１７３】
灯色切替タイミング決定手段１０２は、ステップＳ４３で取得した系統速度Ｖ４１と、ステップＳ４５で取得した天候係数α４を乗算することで、補正した系統速度Ｖ４２を取得する（ステップＳ４６）。
そして、補正した系統速度Ｖ４２を用いてＴＲＡＮＳＹＴ（商品名）によるシミュレーション演算を行ってオフセットを算出する（ステップＳ４７）。
【０１７４】
以上、ステップＳ４１からステップＳ４７までの手順によって、オフセットを算出することができる。
【０１７５】
また、前記オフセットを用いて各信号灯色の灯色切替タイミングを決定する方法としては、例えば、ステップＳ１０１からステップＳ１０３に示す方法で、交通信号制御機２Ａの各信号灯器６Ａにおける各信号灯色の表示時間を決定した後、同様の方法を用いて交通信号制御機２Ｂの各信号灯器６Ｂにおける各信号灯色の表示時間を決定し、各信号灯器６Ａと６Ｂのサイクルの先頭に当たる信号灯色の灯色切替タイミング（例えば、一本の道路上に信号灯器６Ａと６Ｂが設置された場合に、当該道路における直進車両に対する車両用灯器の青信号の点灯タイミング）を、前記オフセットに従って決定する方法等が考えられる。
【０１７６】
本発明によれば、例えば、春の平日の１２時における系統速度Ｖ４１（＝４０）は、天候が「晴れ」であれば、天候係数α４（＝１．０）によって、Ｖ４２＝４０と補正でき、一方、天候が「濃霧」であれば、天候係数α４（＝０．４）によって、Ｖ４２＝１６と補正できる。その結果、当該補正後の系統速度Ｖ４２を用いたシミュレーションによって、天候に応じたオフセットを算出することができる。
【０１７７】
従来であれば、例えば春の平日の１２時における接近速度Ｖ４１として与えた設定値を、天候に関係なく採用していたため、例えば、接近速度Ｖ４１＝４０と設定した場合には、天候が「晴れ」であれば適切であるが、天候が「濃霧」であれば、実際の系統速度よりも大きくなる。その結果、当該系統速度を用いたシミュレーションで算出されるオフセットは、天候が「濃霧」の場合には適切ではなく、その結果、系統制御の対象となる信号機群を通過できない場合がある。
【０１７８】
ただし、本発明によれば、天候種別に応じて系統速度を補正し、当該補正した系統速度を用いたシミュレーションに基づいて適切なオフセットを算出できるため、系統制御の対象となる信号機群を円滑に通過することができる。
【０１７９】
なお、前記オフセットの算出方法については本実施例に限らず、例えば、系統速度テーブルの項目に天候種別を追加して、ステップＳ４６で算出される補正された接近速度Ｖ４２を系統速度テーブルに予め記述しておき、季節や天候種別等の項目を条件として、当該テーブルから系統速度Ｖ４２を取得する方法でも良い。
【０１８０】
また、オフセットを用いて各信号灯色の灯色切替タイミングを決定する方法についても、本実施例に限らず、従来まで交通管制システムにおいて用いられる負荷率比配分方式等に基づいて決定する方法等を用いることができる。
【０１８１】
また、例えば、灯色切替タイミング決定手段１０２が、天候種別を用いて前記スプリットを決定し、当該スプリットを用いて前記灯色切替タイミングを決定する場合、信号制御装置１における当該スプリットの算出方法を図１５及び図１６のフローチャートに従って説明する。また、当該スプリットを用いて前記灯色切替タイミングを決定する方法について説明する。
【０１８２】
まず、灯色切替タイミング決定手段１０２は、車両感知器から送信される感知器情報から取得される交通量と占有率の比に実効車長（感知領域＋平均車長）を掛けて車両感知器３の待ち行列波及度を取得する（ステップＳ５０Ａ）。
そして、予め設定した閾値と前記待ち行列波及度を比較し（ステップＳ５０Ｂ）、待ち行列波及度が閾値を超えている場合には飽和状態と判定して、従来通り、前記車両感知器３の感知器情報から得られる飽和交通流率を基に負荷率を算出し、当該負荷率を基に負荷率比配分方式によってスプリットを算出する（フローチャートでは図示せず）。
【０１８３】
ここで、負荷率を算出する際に用いる飽和交通流率は、交通流が飽和状態となったときに交差点上流側の車両感知器で計測される流出交通量を青時間で割ることによって算出される。
【０１８４】
そのため、負荷率は、交通流が飽和状態となった場合には車両感知器によって計測した飽和交通流率を用いて算出しうるが、非飽和状態の場合には飽和交通流率を計測できないため、予め定められた設定値を用いる。車両感知器が設置されていない地点においても同様である。
なお、従来までは、非飽和状態時の負荷率は日種や時間帯毎のパタンとして設定し、当該条件に合致する値を採用する方法等が行われてきた。
【０１８５】
前記待ち行列波及度が閾値以下であれば、非飽和状態と判定し、灯色切替タイミング決定手段１０２は、自己の搭載するカレンダから季節と日種を取得する（ステップＳ５１）。季節は、例えば、日付と季節を一意に対応付けた季節対応テーブル（図示せず）を記憶部に記録しておき、前記季節対応テーブル（図示せず）を参照して取得する方法等が考えられる。また、日種とは、例えば、平日、土曜日、日曜日、祝日、五十日等である。
【０１８６】
なお、カレンダを他の装置（図示せず）から受信した上で、当該受信したカレンダから季節と日種を取得しても良いし、他の装置（図示せず）がカレンダに基づいて取得した季節と日種を信号制御装置１に送信し、当該季節と日種を受信して取得しても良い。
【０１８７】
次に、灯色切替タイミング決定手段１０２は、自己の搭載する時計から現在の時刻情報を取得する（ステップＳ５２）。そして、季節、日種、及び現在時刻を基に、飽和交通流率テーブル（図１７）から該当する飽和交通流率Ｓ１を取得する（ステップＳ５３）。
【０１８８】
この場合、飽和交通流率テーブル（図１７）は、メモリ等の記憶部に記録しておき、必要に応じて記憶部を参照して使用すれば良い。
【０１８９】
ここで、図１７に示す飽和交通流率テーブルは、季節、日種、及び現在時刻の各項目に対応する飽和交通流率を格納したものであり、灯色切替タイミング決定手段１０２は、季節、日種、及び現在時刻を入力条件として飽和交通流率を取得する。
【０１９０】
なお、飽和交通流率テーブルの項目として、例示した全ての項目を使用する必要はなく、例えば、季節と日種と現在時刻のうちから選択した１つもしくは２つのみを項目として飽和交通流率テーブルを構成しても良い。その場合は、選択した項目のみを条件として飽和交通流率を取得する。
【０１９１】
さらに、天候種別取得手段１０１は、天候センサー４Ａと天候情報サーバ５のうち少なくとも１つ以上から受信した天候情報を基に天候種別を取得する（ステップＳ５４）。そして、灯色切替タイミング決定手段１０２は、前記取得した天候種別を基に、天候係数テーブル（図６）から該当する天候係数α５を取得する（ステップＳ５５）。
【０１９２】
この場合、天候係数テーブル（図６）は、メモリ等の記憶部に記録しておき、必要に応じて記憶部を参照して使用すれば良い。
【０１９３】
ここで、天候係数α５は天候種別に応じて決定される、飽和交通流率に対する重み付け係数である。図６に示す天候係数テーブルは、天候種別に対応する天候係数α５を格納したものであり、灯色切替タイミング決定手段１０２は、天候種別を入力条件として天候係数α５を取得する。
【０１９４】
灯色切替タイミング決定手段１０２は、ステップＳ５３で取得した飽和交通流率Ｓ１と、ステップＳ５５で取得した天候係数α５を乗算することで、補正した飽和交通流率Ｓ２を取得する（ステップＳ５６）。
【０１９５】
そして、ステップＳ５６で取得した各現示ｉ毎の飽和交通流率Ｓ２ｉから、以下の式５１によって、現示ｉ毎の負荷率ρｉを算出する（ステップ５７）。
ここで、Ｑｉは現示ｉに対応する流入路の流入台数であり、前記車両感知器３からの感知器情報より取得できる。また、Ｅｉは現示ｉに対応する流入路の待ち行列台数であり、ステップＳ５０Ａで算出された待ち行列波及度より算出される。
【０１９６】
【数４】
2008027024.tif 000006
【０１９７】
最後に、灯色切替タイミング決定手段１０２は、以下の式５２によって現示ｉ毎にスプリットｇｉを算出する（ステップＳ５８）。
ここで、ρｉは現示ｉの負荷率であり、Σρｉは交差点の負荷率である。
【０１９８】
【数５】
2008027024.tif 000007
【０１９９】
以上、ステップＳ５１からステップＳ５８までの手順によって、スプリットを算出することができる。
前記スプリットを用いて各信号灯色の灯色切替タイミングを決定する方法としては、従来通りに、例えば負荷率比配分方式を用いて全ての信号灯色の灯色切替タイミングを決定する際に、従来まで負荷率比配分方式に用いていたスプリットを本スプリットに変更して、各信号灯色の灯色切替タイミングを決定する方法等が考えられる。
【０２００】
本発明によれば、例えば、春の平日の１２時における飽和交通流率Ｓ１（＝２０００）は、天候が「晴れ」であれば、天候係数α５（＝１．０）によって、Ｓ２＝２０００と補正でき、一方、天候が「濃霧」であれば、天候係数α５（＝１．２）によって、Ｓ２＝２４００と補正できる。その結果、当該補正後の飽和交通流率Ｓ２を用いて、天候に応じた適切な負荷率を算出でき、さらに当該負荷率を用いて適切なスプリットを算出することができる。
【０２０１】
従来であれば、例えば春の平日の１２時における飽和交通流率Ｓ１として与えた設定値を、天候に関係なく採用していたため、例えば、飽和交通流率Ｓ１＝２０００と設定した場合には、天候が「晴れ」であれば適切であるが、天候が「濃霧」であれば、飽和交通流率は実際よりも小さくなる。そのため、当該飽和交通流率を用いて算出される負荷率及びスプリットは、天候が「濃霧」の場合には小さくなってしまう。その結果、交差点の各現示に与えるスプリットに過不足が生じて、渋滞を引き起こす場合があった。
【０２０２】
ただし、本発明によれば、天候種別に応じて飽和交通流率を補正し、当該飽和交通流率から負荷率を算出し、当該算出した負荷率に基づいて適切なスプリットを算出できる。その結果、交差点の各現示に適切なスプリットを与えることができ、渋滞の発生確率を低減することができる。
【０２０３】
なお、前記スプリットの算出方法については本実施例に限らず、例えば、飽和交通流率テーブルの項目に天候種別を追加して、ステップＳ５６で算出される補正された飽和交通流率Ｓ２を飽和交通流率テーブルに記述する方法でも良いし、ステップＳ５７で算出される負荷率を季節、天候種別等の項目毎に予め設定したテーブル（図示せず）を用意しておき、季節、天候種別等の条件を基に、前記テーブルから負荷率を取得する方法でも良い。
【０２０４】
なお、図１における車両感知器３Ａ及び３Ｂは、交通信号制御機２Ａもしくは２Ｂを経由せずに、それぞれ通信回線を介して信号制御装置１に直接接続される構成でも良い。このような構成の場合、信号制御装置１における中央装置通信手段１０３は、通信回線を介して、車両感知器３Ａ及び３Ｂから感知器情報を受信しても良い。
【０２０５】
図１における天候センサー４Ａ及び４Ｂは、交通信号制御機２Ａもしくは２Ｂを経由せずに、それぞれ通信回線を介して信号制御装置１に直接接続される構成でも良い。このような構成の場合、信号制御装置１における中央装置通信手段１０３は、通信回線を介して、天候センサー４Ａ及び４Ｂから天候情報を受信しても良い。
【０２０６】
なお、歩進制御方式においては、例えば、右折感応制御によって決定する青矢印表示の長さ等については、交通信号制御機が決定する場合があっても良い。
すなわち、灯色切替タイミング決定手段が、交通信号制御機側にあっても良いし、信号制御装置と交通信号制御機の双方にあっても良い。
【０２０７】
例えば、信号制御装置が青矢印表示の打ち切りを容認する時間帯において感応許可信号を送信し、当該感応許可信号を受信した交通信号制御機が、青矢印表示の打ち切りタイミングを決定しても良い。
【０２０８】
前記感応許可信号を送出する時間帯については、信号制御装置が前記取得した天候種別を用いて決定しても良い。
また、交通信号制御機が前記タイミングを決定する場合、交通信号制御機が天候種別取得手段を有し、当該天候種別取得手段によって取得した天候種別を用いても良い。
【０２０９】
具体的には、例えば、交通信号制御機が天候種別を用いて右折感応制御用単位延長青時間を決定しても良い。
また、前記決定においては、交通信号制御機が自身に接続された天候センサー等の天候情報を基に天候種別を取得しても良いし、信号制御装置から天候種別を取得しても良い。また、交通信号制御機が独自に有する定数や、交通信号制御機が取得した車両感知器の情報等を用いても良い。
【０２１０】
また、信号制御装置は１つのコンピュータによって実現されても良いし、複数のコンピュータによって実現されても良い。
同様に、交通信号制御機についても、１つのコンピュータによって実現されても良いし、複数のコンピュータによって実現されても良い。
【０２１１】
以上のように、第１の実施形態に示した発明によれば、取得した天候種別を加味して信号灯器の各信号灯色の点灯及び消灯タイミングを決定するため、天候によって交通状況が異なる地点においては、例えば、流入交通流に適した青時間を割り当てて無駄な青信号を表示し続けることを防止できる。
また、例えば、車両の捌け残りが発生しないように、適切な青信号表示を継続することができる。
【０２１２】
（第２の実施形態）
次に、第２の実施形態では、信号制御システムの構築方法としてテーブル制御方式を採用した場合の例を示す。
本発明に係る信号制御システムの概略は、第１の実施形態において説明した図１と同様であるから、ここでは説明を省略する。
【０２１３】
なお、テーブル制御方式においては、信号制御装置１と交通信号制御機２Ａ及び２Ｂの間の通信経路が確保される限りにおいて、通信回線をいくつ経由しても良いし、通信経路上に１または複数のルータ（図示せず）を設置しても良い。
【０２１４】
図１８は、第２の実施形態における、信号制御装置１及び交通信号制御機２Ａの全部または一部を構成する機能を示す機能ブロック図である。
図１８に従って、テーブル制御方式を採用した場合の、信号制御装置１と交通信号制御機２Ａに関する動作を説明する。
【０２１５】
図１８において、信号制御装置１は、天候種別取得手段１０１、信号制御指令作成手段１１２、中央装置通信手段１１３、及び天候情報サーバ通信手段１０４から構成される。
【０２１６】
天候種別取得手段１０１と天候情報サーバ通信手段１０４は、第１の実施形態と同様の機能を有するため、ここでは説明を省略する。
【０２１７】
信号制御指令作成手段１１２は、例えばサイクル毎や所定の周期毎に、交通信号制御機２Ａの信号灯器６Ａにおける各信号灯色の灯色切替タイミングを決定するための信号制御指令情報を作成する。
前記信号制御指令情報の作成においては、天候種別取得手段１０１によって取得された天候種別を前記信号制御指令情報の作成根拠の１つとする。
【０２１８】
中央装置通信手段１０３は、交通信号制御機２Ａと各種データを送受信する機能を有する。ここにいう各種データとは、前記信号制御指令情報、車両感知器３Ａから発信され交通信号制御機２Ａ経由で通信回線を介して送られる感知器情報、天候センサー４Ａから発信され交通信号制御機２Ａ経由で通信回線を介して送られる天候情報等を指す。
前記信号制御指令情報は、中央装置通信手段１０３によって、通信回線を介して、交通信号制御機２Ａに送信される。
【０２１９】
なお、前記信号制御指令情報は、１つの固まりとして送信されても良いし、複数の固まりに分割して送信されてもよい。また、前記複数の固まりが送信される時間はそれぞれ異なっていても良い。
【０２２０】
また、例えば、前記信号制御指令情報によってあるパラメータの値を指定する場合に、前記信号制御指令情報は当該パラメータの値そのものを含む情報としても良いし、予め決められた複数のパタンのうち、特定のパタンを指定する情報でも良い。また、許容する値の範囲を指定する情報でも良い。
【０２２１】
図１８において、交通信号制御機２Ａは、感知器通信手段２０３Ａと天候センサー通信手段２０４Ａと端末装置通信手段２１５Ａと灯色切替タイミング決定手段２１２Ａと信号灯色切替手段２１６Ａから構成される。
【０２２２】
感知器通信手段２０３Ａと天候センサー通信手段２０４Ａは、第１の実施形態と同様の機能を有するため、ここでは説明を省略する。
【０２２３】
端末装置通信手段２１５Ａは、信号制御装置１と各種データを送受信する機能を有する。ここにいう各種データとは、信号制御装置１が通信回線に送信する前記信号制御指令情報、車両感知器３Ａから受信した感知器情報、天候センサー４Ａから受信した天候情報等を指す。
【０２２４】
灯色切替タイミング決定手段２１２Ａは、前記受信した信号制御指令情報を用いて、信号灯器６Ａにおける各信号灯色の灯色切替タイミングを決定する機能を有する。
【０２２５】
信号灯色切替手段２０６Ａは、灯色切替タイミング決定手段２１２Ａの決定した前記灯色切替タイミングに応じて、信号灯器６Ａにおける信号灯色を切り替える機能を有する。
【０２２６】
第２の実施形態においては、例えば、第１の実施形態において示した天候種別を用いたクリアランス時間算出方法と同様にクリアランス時間を決定し、当該クリアランス時間を前記信号制御指令情報の構成要素の１つとすることができる。
【０２２７】
また、例えば、第１の実施形態において示した天候種別を用いた右折感応制御用単位延長青時間算出方法と同様に右折感応制御用単位延長青時間を決定し、当該右折感応制御用単位延長青時間を前記信号制御指令情報の構成要素の１つとすることができる。
【０２２８】
また、例えば、第１の実施形態において示した天候種別を用いた歩行者青下限時間算出方法と同様に歩行者青下限時間を決定し、当該歩行者青下限時間を前記信号制御指令情報の構成要素の１つとすることができる。
【０２２９】
また、例えば、第１の実施形態において示した天候種別を用いた歩行者青点滅時間算出方法と同様に歩行者青点滅時間を決定し、当該歩行者青点滅時間を前記信号制御指令情報の構成要素の１つとすることができる。
【０２３０】
また、例えば、第１の実施形態において示した天候種別を用いたオフセット算出方法と同様にオフセットを決定し、当該オフセットを前記信号制御指令情報の構成要素の１つとすることができる。
【０２３１】
また、例えば、第１の実施形態において示した天候種別を用いたスプリット算出方法と同様にスプリットを決定し、当該スプリットを前記信号制御指令情報の構成要素の１つとすることができる。
【０２３２】
なお、交通信号制御機が灯色切替タイミングを決定する場合、信号制御装置から受信した信号制御指令情報のデータ内容以外に、交通信号制御機が独自に有する定数や、交通信号制御機が取得した車両感知器の情報等を用いても良い。
【０２３３】
例えば、主道路側の車両の信号灯色を青とする時間のみが信号制御指令情報によって与えられた場合、当該青時間が歩行者用灯器の青時間、青点滅時間、及び赤表示時間によって構成されるとすると、当該青時間内における前記３つの時間の割り当てについては、交通信号制御機が独自に有する定数等を用いて決定しても良い。
【０２３４】
また、信号制御装置は１つのコンピュータによって実現されても良いし、複数のコンピュータによって実現されても良い。
同様に、交通信号制御機についても、１つのコンピュータによって実現されても良いし、複数のコンピュータによって実現されても良い。
【０２３５】
また、信号制御装置が交通信号制御機に対して天候種別を送信し、交通信号制御機が前記天候種別を用いて、信号灯色の切替タイミングを決定しても良い。
【０２３６】
また、交通信号制御機が天候センサー等から受信した天候情報を基に天候種別を取得し、前記天候種別を用いて、信号灯色の切替タイミングを決定しても良い。
【０２３７】
また、交通信号制御機が、例えば無線などの通信手段を別途有し、当該通信手段を通じて天候情報を受信しても良い。
【０２３８】
以上のように、第２の実施形態に示した発明によれば、取得した天候種別を加味して信号灯器の各信号灯色の点灯及び消灯タイミングを決定するため、天候によって交通状況が異なる地点においては、例えば、流入交通流に適した青時間を割り当てて無駄な青信号を表示し続けることを防止できる。
また、例えば、車両の捌け残りが発生しないように、適切な青信号表示を継続することができる。
【０２３９】
（第３の実施形態）
次に、第３の実施形態では、信号制御システムの構築方法として分散制御方式を採用した場合の例を示す。
図１９は、第３の実施形態に示す発明に係る信号制御システムの概略を示す図である。
【０２４０】
図１９において、１は交通管制センターに設置される信号制御装置であり、通信回線を介して、道路上に設置された１または複数の交通信号制御機２Ａ及び２Ｂと情報交換等をする機能を有する。
信号制御装置１は、交通信号制御機２Ａ及び２Ｂに対して、第２の実施形態において説明した信号制御指令情報を送信する機能を有していても良い。
また、信号制御装置１は、車両感知器３Ａ及び３Ｂからの感知器情報を、交通信号制御機２Ａもしくは２Ｂ経由で通信回線を介して受信する機能を有する。さらに、天候センサー４Ａ及び４Ｂからの天候情報を、交通信号制御機２Ａもしくは２Ｂ経由で通信回線を介して受信する機能を有する。さらに、天候情報サーバ５からの天候情報を受信する機能を有する。
なお、分散制御方式においては、信号制御装置１はあっても良いし無くても良い。
【０２４１】
交通信号制御機２Ａは道路上に設置され、他の交通信号制御機２Ｂからルータ７を介して分散制御方式用情報を受信し、前記分散制御方式用情報に基づいて信号灯器６Ａを制御する機能を有する。また、車両感知器３Ａから感知器情報を受信する機能を有する。また、天候センサー４Ａから天候情報を受信する機能を有する。
【０２４２】
また、信号制御装置１が存在する場合には、通信回線を介して、ルータ７経由で前記信号制御指令情報を受信しても良い。そして、前記信号制御指令情報と前記分散制御方式用情報のうち少なくとも１つに基づいて信号灯器６Ａを制御しても良い。
交通信号制御機２Ｂについても同様である。
【０２４３】
車両感知器３Ａは道路上に設置され、感知対象の車線を通過する車両の有無等の感知器情報を検知し、交通信号制御機２Ａに対して当該感知器情報を送信する機能を有する。
車両感知器３Ｂについても同様である。
【０２４４】
天候センサー４Ａは道路上に設置され、当該設置地点における天候情報を検知し、交通信号制御機２Ａに送信する機能を有する。
天候センサー４Ｂについても同様である。
【０２４５】
天候情報サーバ５は、ある特定の地点もしくは複数の地点における天候情報を信号制御装置１に送信する機能を有する。
なお、天候情報サーバ５は、信号制御装置１が存在しない場合には、他の装置（図示せず）に天候情報を送信しても良い。この場合、当該他の装置（図示せず）は、交通信号制御機２Ａ及び２Ｂに対して天候情報サーバ５から受信した天候情報を発信しても良い。
なお、天候センサー４Ａまたは４Ｂと天候情報サーバ５は、一方のみが存在しても良いし、双方とも存在していても良い。
【０２４６】
信号灯器６Ａは交通信号制御機２Ａに接続され、交通信号制御機２Ａによって各信号灯色が点灯及び消灯される。
信号灯器６Ｂについても同様である。
【０２４７】
ルータ７は、道路上に設置された交通信号制御機２Ａと交通信号制御機２Ｂの間において送受信される情報を中継する機能を有する。
なお、信号制御装置１が存在する場合には、信号制御装置１と交通信号制御機２Ａとの間、もしくは信号制御装置１と交通信号制御機２Ｂとの間における情報の送受信において、当該送受信情報を中継しても良い。
【０２４８】
なお、ルータ７は道路上に設置されていても良いし、交通管制センターに設置されていても良い。交通管制センターに設置されている場合には、ルータ７と交通信号制御機２Ａの間、及びルータ７と交通信号制御機２Ｂの間は、双方とも通信回線を介して接続される。
【０２４９】
また、道路上のルータ７に加えて、交通管制センターに他のルータ８（図示せず）を設置しても良い。その場合は、ルータ７とルータ８（図示せず）の間が通信回線で接続される。
【０２５０】
また、ルータ７に加えて、道路上にルータ７Ｂ（図示せず）を設置しても良い。この場合、ルータ７に交通信号制御機２Ａを接続し、ルータ７Ｂ（図示せず）に交通信号制御機２Ｂを接続し、ルータ７とルータ７Ｂ（図示せず）を接続することで、交通信号制御機２Ａと２Ｂは、ルータ７及び７Ｂ（図示せず）を介して情報の送受信を行っても良い。
【０２５１】
また、ルータ７を交通信号制御機２Ａもしくは２Ｂに内蔵しても良い。
信号制御システムにおいては、交通信号制御機２Ａと２Ｂの通信経路が確保される限りにおいて、ルータ７以外にいくつのルータを設置しても良い。
【０２５２】
図２０は、第３の実施形態における、交通信号制御機２Ａ及び２Ｂの全部または一部を構成する機能を示す機能ブロック図である。
図２０に従って、分散制御方式を採用した場合の、交通信号制御機２Ａに関する動作を説明する。
【０２５３】
図２０において、交通信号制御機２Ａは、天候種別取得手段２２１Ａ、灯色切替タイミング決定手段２２２Ａ、感知器通信手段２０３Ａ、天候センサー通信手段２０４Ａ、交通信号制御機間通信手段２２５Ａ、及び信号灯色切替手段２２６Ａとから構成される
【０２５４】
感知器通信手段２０３Ａは、第１の実施形態と同様の機能を有するため、ここでは説明を省略する。
【０２５５】
交通信号制御機間通信手段２２５Ａは、交通信号制御機２Ｂと各種データを送受信する機能を有する。ここにいう各種データとは、交通信号制御機２Ａ及び２Ｂ間で送受信される分散制御方式用情報、車両感知器３Ａから受信した感知器情報、天候センサー４Ａから受信した天候情報、後述する灯色切替タイミング決定手段２２２Ａが決定した少なくとも１つの信号灯色もしくは信号灯色群の継続秒数等を指す。
【０２５６】
なお、本分散制御方式において、信号制御装置１が存在する場合には、信号制御装置１から、信号制御装置１が作成し通信回線に送信した信号制御指令情報を受信しても良い。また、信号制御装置１が天候情報サーバ５から受信した天候情報を受信しても良い。また、天候情報サーバ５からの天候情報に基づいて決定された天候種別を受信しても良い。
【０２５７】
天候情報サーバ通信手段２０４Ａは、天候センサー４から天候情報を受信する機能を有する。なお、天候情報サーバ通信手段２０４Ａと天候センサー４はあっても良いし、無くても良い。
また、天候センサー４から送信される天候情報は、天候種別であっても良い。
【０２５８】
天候種別取得手段２２１Ａは、天候センサー４Ａと天候情報サーバ５のうち少なくとも１つから発信された天候情報に基づいて、交通信号制御機２Ａの設置地点における天候種別を取得する機能を有する。
なお、天候種別取得手段２２１Ａは、交通信号制御機２Ａの設置地点における天候種別を取得するが、例えば、天候種別取得不能となる場合もしくは時間帯があっても良い。
【０２５９】
灯色切替タイミング決定手段２２２Ａは、前記取得した天候種別、前記受信した分散制御方式用情報、前記受信した信号制御指令情報、前記受信した感知器情報、及び前記受信した信号灯色もしくは信号灯色群の継続秒数のうち少なくとも１つを用いて、信号灯器６Ａにおける各信号灯色の灯色切替タイミングを決定する機能を有する。
【０２６０】
信号灯色切替手段２２６Ａは、灯色切替タイミング決定手段２２２Ａの決定した前記灯色切替タイミングに応じて、信号灯器６Ａにおける信号灯色を切り替える機能を有する。
【０２６１】
第３の実施形態においては、例えば、第１の実施形態において示した天候種別を用いたクリアランス時間算出方法と同様にクリアランス時間を決定し、当該クリアランス時間を前記分散制御方式用情報の構成要素の１つとすることができる。
【０２６２】
また、例えば、第１の実施形態において示した天候種別を用いた右折感応制御用単位延長青時間算出方法と同様に右折感応制御用単位延長青時間を決定し、当該右折感応制御用単位延長青時間を前記分散制御方式用情報の構成要素の１つとすることができる。
【０２６３】
また、例えば、第１の実施形態において示した天候種別を用いた歩行者青下限時間算出方法と同様に歩行者青下限時間を決定し、当該歩行者青下限時間を前記分散制御方式用情報の構成要素の１つとすることができる。
【０２６４】
また、例えば、第１の実施形態において示した天候種別を用いた歩行者青点滅時間算出方法と同様に歩行者青点滅時間を決定し、当該歩行者青点滅時間を前記分散制御方式用情報の構成要素の１つとすることができる。
【０２６５】
また、例えば、第１の実施形態において示した天候種別を用いたオフセット算出方法と同様にオフセットを決定し、当該オフセットを前記分散制御方式用情報の構成要素の１つとすることができる。
【０２６６】
また、例えば、第１の実施形態において示した天候種別を用いたスプリット算出方法と同様にスプリットを決定し、当該スプリットを前記分散制御方式用情報の構成要素の１つとすることができる。
【０２６７】
なお、分散制御方式においては、天候種別を用いて分散制御方式用情報を作成する交通信号制御機は１つであっても良いし、複数であっても良い。また、分散制御方式用情報を用いずに、信号制御指令情報や交通信号制御機が独自に有する定数等を用いて灯色切替タイミングを決定する場合があっても良い。
【０２６８】
また、交通信号制御機は、１つのコンピュータによって実現されても良いし、複数のコンピュータによって実現されても良い。
同様に、信号制御装置についても、１つのコンピュータによって実現されても良いし、複数のコンピュータによって実現されても良い。
【０２６９】
また、交通信号制御機が、例えば無線などの通信手段を別途有し、当該通信手段を通じて天候情報を受信しても良い。
【０２７０】
以上のように、第３の実施形態に示した発明によれば、取得した天候種別を加味して信号灯器の各信号灯色の点灯及び消灯タイミングを決定するため、天候によって交通状況が異なる地点においては、例えば、流入交通流に適した青時間を割り当てて無駄な青信号を表示し続けることを防止できる。
また、例えば、車両の捌け残りが発生しないように、適切な青信号表示を継続することができる。
【０２７１】
（第４の実施形態）
次に、第４の実施形態では、信号制御システムの構築方法として単独制御方式を採用した場合の例を示す。
図２１は、第４の実施形態に示す発明に係る信号制御システムの概略を示す図である。
【０２７２】
図２１において、２は道路上に設置される交通信号制御機であり、信号灯器６の各信号灯色の点灯及び消灯のタイミングを決定し、当該決定したタイミングに応じて信号灯器６を制御する機能を有する。また、車両感知器３から感知器情報を受信する機能を有する。また、天候センサー４から天候情報を受信する機能を有する。
【０２７３】
なお、第４の実施形態においても、信号制御装置（図示せず）が存在しても良く、前記信号制御装置（図示せず）が存在する場合には、通信回線を介して、前記信号制御装置（図示せず）が通信回線に送信する各種データを受信しても良い。
ここにいう各種データとは、交通信号制御機２に対して、単独制御方式で動作するように指示する指示情報等を指す。
【０２７４】
車両感知器３は道路上に設置され、感知対象の車線を通過する車両の有無等の感知器情報を検知し、交通信号制御機２に対して当該感知器情報を送信する機能を有する。
【０２７５】
天候センサー４は道路上に設置され、当該設置地点における天候情報を検知し、交通信号制御機２に送信する機能を有する。
【０２７６】
信号灯器６は交通信号制御機２に接続され、交通信号制御機２によって各信号灯色が点灯及び消灯される。
【０２７７】
図２２は、第４の実施形態における、交通信号制御機２の全部または一部を構成する機能を示す機能ブロック図である。
図２２に従って、単独制御方式を採用した場合の、交通信号制御機２に関する動作を説明する。
【０２７８】
図２２において、交通信号制御機２は、天候種別取得手段２０１、灯色切替タイミング決定手段２０２、感知器通信手段２０３、天候センサー通信手段２０４、及び信号灯色切替手段２０６とから構成される
天候種別取得手段２０１、感知器通信手段２０３、及び天候センサー通信手段２０４は、第３の実施形態と同様の機能を有するため、ここでは説明を省略する。
【０２７９】
なお、天候センサー４から送信される天候情報は、天候種別であっても良い。
【０２８０】
灯色切替タイミング決定手段２０２は、前記取得した天候種別を各信号灯色の灯色切替タイミングの決定要素の１つとして用いて、信号灯器６における前記各信号灯色の灯色切替タイミングを決定する機能を有する。
【０２８１】
信号灯色切替手段２０６は、灯色切替タイミング決定手段２０２の決定した前記灯色切替タイミングに応じて、信号灯器６における信号灯色を切り替える機能を有する。
【０２８２】
なお、本単独制御方式において、前記信号制御装置（図示せず）が存在する場合には、前記信号制御装置（図示せず）が作成し通信回線に送信した信号制御指令情報等を受信しても良い。この場合、交通信号制御機は、前記信号制御指令情報を受信するために、端末装置通信手段（図示せず）を有していても良い。また、信号制御装置（図示せず）から天候種別を受信しても良い。
【０２８３】
第４の実施形態においては、例えば、第１の実施形態において示した天候種別を用いたクリアランス時間算出方法と同様にクリアランス時間を決定し、当該クリアランス時間を用いて前記各信号灯色の灯色切替タイミングを決定することができる。
【０２８４】
また、例えば、第１の実施形態において示した天候種別を用いた右折感応制御用単位延長青時間算出方法と同様に右折感応制御用単位延長青時間を決定し、当該右折感応制御用単位延長青時間を用いて前記各信号灯色の灯色切替タイミングを決定することができる。
【０２８５】
また、例えば、第１の実施形態において示した天候種別を用いた歩行者青下限時間算出方法と同様に歩行者青下限時間を決定し、当該歩行者青下限時間を用いて前記各信号灯色の灯色切替タイミングを決定することができる。
【０２８６】
また、例えば、第１の実施形態において示した天候種別を用いた歩行者青点滅時間算出方法と同様に歩行者青点滅時間を決定し、当該歩行者青点滅時間を用いて前記各信号灯色の灯色切替タイミングを決定することができる。
【０２８７】
また、例えば、第１の実施形態において示した天候種別を用いたオフセット算出方法と同様にオフセットを決定し、当該オフセットを用いて前記各信号灯色の灯色切替タイミングを決定することができる。
【０２８８】
また、例えば、第１の実施形態において示した天候種別を用いたスプリット算出方法と同様にスプリットを決定し、当該スプリットを用いて前記各信号灯色の灯色切替タイミングを決定することができる。
【０２８９】
また、例えば、以上のようにして決定されるクリアランス時間、右折感応制御用単位延長青時間、歩行者青下限時間、歩行者青点滅時間、オフセット、及びスプリットのうち少なくとも１つを用いて、例えば前記ステップＳ１０１乃至ステップ１０６に示す方法等によって、前記各信号灯色の灯色切替タイミングを決定することができる。
【０２９０】
また、交通信号制御機は、１つのコンピュータによって実現されても良いし、複数のコンピュータによって実現されても良い。
同様に、信号制御装置についても、１つのコンピュータによって実現されても良いし、複数のコンピュータによって実現されても良い。
【０２９１】
また、交通信号制御機が、例えば無線などの通信手段を別途有し、当該通信手段を通じて天候情報を受信しても良い。
【０２９２】
以上のように、第４の実施形態に示した発明によれば、取得した天候種別を加味して信号灯器の各信号灯色の点灯及び消灯タイミングを決定するため、天候によって交通状況が異なる地点においては、例えば、流入交通流に適した青時間を割り当てて無駄な青信号を表示し続けることを防止できる。
また、例えば、車両の捌け残りが発生しないように、適切な青信号表示を継続することができる。
【０２９３】
また、単独制御方式では、第４の実施形態で示すように、天候種別を取得する天候種別取得手段と灯色切替タイミング決定手段を１つの筐体に収納することができる。この場合、１つの交通信号制御機のみによって本発明にかかる信号制御システムを構築できるため、有用である。
【０２９４】
以上のように、信号制御システムにおいては、信号制御装置が全ての信号灯器における各信号灯色の灯色切替タイミングを決定しても良いし、信号制御装置と交通信号制御機の双方が協調して前記灯色切替タイミングを決定しても良いし、交通信号制御機と他の交通信号制御機の双方が協調して前記灯色切替タイミングを決定しても良いし、交通信号制御機が単独で前記灯色切替タイミングを決定しても良い。
【０２９５】
また、信号制御システムにおいては、歩進制御方式、テーブル制御方式、分散制御方式、及び単独制御方式のうち少なくとも２つが混在していても良い。
例えば、ある交通信号制御機では歩進制御方式を採用し、その他の交通信号制御機ではテーブル制御方式を採用していても良い。この場合、信号制御装置は、各交通信号制御機の方式に応じて、歩進信号や信号制御指令情報を送信しても良い。
【図面の簡単な説明】
【０２９６】
【図１】本発明に係る第１の実施形態における信号制御システムの概略の一例を示す図である。
【図２】第１の実施形態における信号制御装置１及び交通信号制御機２Ａの全部または一部を構成する機能の一例を示す機能ブロック図である。
【図３】クリアランス時間の算出手順の一例を示すフローチャートである。
【図４】クリアランス時間を用いて各信号灯色の灯色切替タイミングを決定する手順の一例を示すフローチャートである。
【図５】停止線接近速度テーブルの一例を示す図である。
【図６】天候係数テーブルの一例を示す図である。
【図７】信号灯色表示時間テーブルの一例を示す図である。
【図８】右折感応定数制御用単位延長青時間の算出手順の一例を示すフローチャートである。
【図９】右折感応定数テーブルの一例を示す図である。
【図１０】歩行者青下限時間と歩行者青点滅時間の算出手順の一例を示すフローチャートである。
【図１１】歩行者青下限時間と歩行者青点滅時間の算出手順の一例を示すフローチャートである。
【図１２】歩行速度テーブルの一例を示す図である。
【図１３】オフセットの算出手順の一例を示すフローチャートである。
【図１４】系統速度テーブルの一例を示す図である。
【図１５】スプリットの算出手順の一例を示すフローチャートである。
【図１６】スプリットの算出手順の一例を示すフローチャートである。
【図１７】飽和交通流率テーブルの一例を示す図である。
【図１８】第２の実施形態における信号制御装置１及び交通信号制御機２Ａの全部または一部を構成する機能の一例を示す機能ブロック図である。
【図１９】第３の実施形態における信号制御システムの概略の一例を示す図である。
【図２０】第３の実施形態における交通信号制御機２Ａ及び交通信号制御機２Ｂの全部または一部を構成する機能の一例を示す機能ブロック図である。
【図２１】第４の実施形態における信号制御システムの概略の一例を示す図である。
【図２２】第３の実施形態における交通信号制御機２の全部または一部を構成する機能の一例を示す機能ブロック図である。
【符号の説明】
【０２９７】
１  信号制御装置
２、２Ａ、２Ｂ  交通信号制御機
３、３Ａ、３Ｂ  車両感知器
４、４Ａ、４Ｂ  天候センサー
５  天候情報サーバ
６、６Ａ、６Ｂ  信号灯器
７  ルータ
１０１、２０１、２０１Ａ、２２１Ａ，２２１Ｂ  天候種別取得手段
１０２、２０２、２０２Ａ、２１２Ａ、２２２Ａ、２２２Ｂ  灯色切替タイミング決定手段
１０３、１１３  中央装置通信手段
１０４  天候情報サーバ通信手段
２０３、２０３Ａ，２０３Ｂ  感知器通信手段
２０４，２０４Ａ，２０４Ｂ  天候センサー通信手段
２０５Ａ、２１５Ａ  端末装置通信手段
２０６、２０６Ａ、２１６Ａ、２２６Ａ，２２６Ｂ  信号灯色切替手段
１１２  信号制御指令作成手段
２２５Ａ、２２５Ｂ  交通信号制御期間通信手段
【図１】
2008027024.tif 000008
【図２】
2008027024.tif 000009
【図３】
2008027024.tif 000010
【図４】
2008027024.tif 000011
【図５】
2008027024.tif 000012
【図６】
2008027024.tif 000013
【図７】
2008027024.tif 000014
【図８】
2008027024.tif 000015
【図９】
2008027024.tif 000016
【図１０】
2008027024.tif 000017
【図１１】
2008027024.tif 000018
【図１２】
2008027024.tif 000019
【図１３】
2008027024.tif 000020
【図１４】
2008027024.tif 000021
【図１５】
2008027024.tif 000022
【図１６】
2008027024.tif 000023
【図１７】
2008027024.tif 000024
【図１８】
2008027024.tif 000025
【図１９】
2008027024.tif 000026
【図２０】
2008027024.tif 000027
【図２１】
2008027024.tif 000028
【図２２】
2008027024.tif 000029